(57)【特許請求の範囲】
【請求項１】
押釦ハンドルが押し込まれたときに、この押釦ハンドルの押し込み動作にともなって反転ハンドルを反転回動させ、この反転ハンドルの反転回動に応じて接点部の切り換えを行うようにした押釦スイッチと、該押釦スイッチの前面側に軸支部により回動自在に取り付けられて前記押釦ハンドルをピアノタッチ操作で押圧するピアノハンドルとを備え、前記ピアノハンドルの前面に設けられ透明性材料からなるネームカバーと、前記ピアノハンドルの後面側に開閉自在に設けられて前記ネームカバーとの間でネームカードを保持する裏蓋とを備え、前記ネームカバーは、前記ピアノハンドルに貫設された窓孔に嵌入されるネームカバー本体と、前記ピアノハンドルの後面側で前記窓孔の開口周部に超音波溶着される固定部とを備え、前記ピアノハンドルは、レーザビームを照射することにより発色させた飾色部が前面に設けられてなることを特徴とするピアノハンドル式スイッチ。
【請求項２】
前記飾色部は、レーザービームを照射することにより炭化反応させることで発色させてあることを特徴とする請求項１記載のピアノハンドル式スイッチ。
【請求項３】
前記飾色部はピアノハンドルの前面においてストライプ状に形成された複数の化粧ラインであって、各化粧ラインそれぞれは、レーザビームを照射することにより形成された複数本の平行なラインにより構成されてなることを特徴とする請求項１または請求項２記載のピアノハンドル式スイッチ。
【請求項４】
前記ネームカバーと前記裏蓋と前記ネームカードとを１ブロック化してなることを特徴とする請求項１ないし請求項３のいずれかに記載のピアノハンドル式スイッチ。
【請求項５】
前記ネームカバーは、前記ネームカードが当接する面に曲率が設けられてなることを特徴とする請求項１ないし請求項４のいずれかに記載のピアノハンドル式スイッチ。
【請求項６】
前記ネームカバーは、前記ネームカードが当接する面にネームカードの密着を防ぐ密着防止突起が突設されてなることを特徴とする請求項１ないし請求項５のいずれかに記載のピアノハンドル式スイッチ。
【請求項７】
前記ピアノハンドルは、当該ピアノハンドルの操作にともなって前記押釦ハンドルを押操作するスイッチ操作リブが一体に突設されてなることを特徴とする請求項１ないし請求項６のいずれかに記載のピアノハンドル式スイッチ。
【請求項８】
前記ピアノハンドルは、前面において前記軸支部とは反対側に当該ピアノハンドルの操作側を示す指示突起が突設されてなることを特徴とする請求項１ないし請求項７のいずれかに記載のピアノハンドル式スイッチ。
【請求項９】
規格化された埋込型の配線器具の１個モジュール寸法に形成された前記押釦スイッチを一方向に３個並べて取り付けることのできる取付窓を有した３個モジュール寸法の取付枠に当該１個モジュール寸法の押釦スイッチを上記一方向に３個並べて取り付け、前記取付窓よりも大きく且つ前記３個の押釦スイッチの前面を露出する開口窓を有したプレートを前記取付枠の前面に取着したときに各押釦スイッチに取り付けられる前記ピアノハンドルの寸法を前記開口窓を長手方向に略３等分した寸法としたことを特徴とする請求項１ないし請求項８のいずれかに記載のピアノハンドル式スイッチ。
【請求項１０】
規格化された埋込型の配線器具の１個モジュール寸法に形成された前記押釦スイッチを一方向に３個並べて取り付けることのできる取付窓を有した３個モジュール寸法の取付枠に当該１個モジュール寸法の押釦スイッチを上記一方向に２個並べて取り付け、前記取付窓よりも大きく且つ前記２個の押釦スイッチの前面を露出する開口窓を有したプレートを前記取付枠の前面に取着したときに各押釦スイッチに取り付けられる前記ピアノハンドルの寸法を前記開口窓を長手方向に略２等分した寸法としたことを特徴とする請求項１ないし請求項８のいずれかに記載のピアノハンドル式スイッチ。
【請求項１１】
規格化された埋込型の配線器具の１個モジュール寸法に形成された前記押釦スイッチを一方向に３個並べて取り付けることのできる取付窓を有した３個モジュール寸法の取付枠に当該１個モジュール寸法の押釦スイッチを上記一方向における略中央に１個取り付け、前記取付窓よりも大きく且つ前記１個の押釦スイッチの前面を露出する開口窓を有したプレートを前記取付枠の前面に取着したときに押釦スイッチに取り付けられる前記ピアノハンドルの寸法を前記開口窓の長手方向の寸法に略等しい寸法としたことを特徴とする請求項１ないし請求項８のいずれかに記載のピアノハンドル式スイッチ。
【請求項１２】
前記押釦スイッチに前記接点部の状態に応じて発光する発光手段を具備し、前記ピアノハンドルに取り付けられて前記発光手段の光を前記ピアノハンドルの前面側へ導く導光部材を備え、該導光部材には、前記光を拡散させるシボ加工が施されてなることを特徴とする請求項１ないし請求項１１のいずれかに記載のピアノハンドル式スイッチ。
【請求項１３】
前記押釦スイッチに前記接点部の状態に応じて発光する発光手段を具備し、前記ピアノハンドルに取り付けられて前記発光手段の光を前記ピアノハンドルの前面側へ導くプリズムと、前記プリズムの前面側に配設され表示を行う発光表示部とを備え、該プリズムは、前記ピアノハンドルの後面側で発光表示部の一部を挟み込んだ形で前記ピアノハンドルの後面側に超音波溶着されてなることを特徴とする請求項９記載のピアノハンドル式スイッチ。
【発明の詳細な説明】
【０００１】
【発明の属する技術分野】
本発明は、ピアノハンドルの押操作によって接点部の接点切換を行うピアノハンドル式スイッチに関するものである。
【０００２】
【従来の技術】
従来から、押操作可能な押釦ハンドルを有する押釦スイッチよりなるスイッチ本体の前面側に、スイッチ本体に一端部が枢着され後面が押釦ハンドルに当接する形でピアノハンドルを配置したピアノハンドル式スイッチが提供されている。ピアノハンドルはピアノの鍵盤と同様に一端部を支点として他端部を押し込むことができる構成になっている。また、ピアノハンドルは押釦ハンドルよりも操作面が大型であって、指以外の部位を用いて押操作することも可能になっている。
【０００３】
この種のピアノハンドル式スイッチとして図１４７に示す構成ものが知られている（例えば、特開平１０−３２６５３９公報参照）。特開平１０−３２６５３９公報には、押釦ハンドル３２の押圧操作により接点部の接点切換が行われるスイッチ本体１と、このスイッチ本体１の前面に一端部が回動自在に枢支され他端部を押圧して押釦ハンドル３２を押圧操作するピアノハンドル４３とを備えたピアノハンドル式スイッチにおいて、成形時に成形金型へデザイン用のインク層が裏面に形成されたフィルムを入れることでデザイン用のインク層が表面にインモールド転写されたネームカバー２５３’を用いることが開示されている。このピアノハンドル式スイッチにおいては、ピアノハンドル４３の前面側に取着されるネームカバー２５３’の前面に複数の化粧ライン１１５’がストライプ状に形成されている。ここに、ネームカバー２５３’は、後面側に配設されるネームカード２５０の表記が外部から見えるように中央部２５３ａ’が透明材料により形成されており、中央部２５３ａ’を除いた部位に上記化粧ライン１１５’が形成されている。
【０００４】
ところで、上述のスイッチ本体１は、埋込型の配線器具の施工時に用いる取付枠（図示せず）に３個まで取着可能な寸法に形成されており、１つの取付枠に３個取り付けた場合には図１４８に示すようなピアノハンドル４３が用いられ、２個取り付けた場合には図１４９に示すようなピアノハンドル４３が用いられ、１個取り付けた場合には図１５０に示すようなピアノハンドル４３が用いられている。すなわち、上記取付枠に取り付けるスイッチ本体１の数に応じて異なる大きさのピアノハンドル４３が用いられている。ここに、図１４８ないし図１５０における１３０は上記取付枠の前面側に取り付けられるプレートの一部である化粧プレートを示し、１３０ａは化粧プレート１３０の開口窓を示す。
【０００５】
【発明が解決しようとする課題】
ところで、上述のピアノハンドル式スイッチでは、インモールド転写によってネームカバー２５３’の中央部２５３ａ’を除いた部位に化粧ライン１１５’のような飾色部を形成しているが、インモールド転写は転写用フィルムのコストが高いとともに成形コストが高く、しかもピアノハンドル４３の前面へ転写される化粧ライン１１５’の位置精度があまりよくないので、製造コストが高くなってしまうという不具合があった。
【０００６】
また、図１４８ないし図１５０に示すようにピアノハンドル４３は大きさが３種類あり、仮にピアノハンドル４３のベース色が２種類（例えば、ホワイト、利休色）あるとすると、６品種のネームカバー２５３’を用意しておく必要があり、製造コストや管理コストなどのコストが高くなってしまうという不具合があった。また、ネームカバー２５３’の前面が頻繁に手で触る場所であるにもかかわらずネームカバー２５３’の前面に化粧ライン１１５’が転写されているので、化粧ライン１１５’の耐久性が十分でないという不具合もあった。
【０００７】
本発明は上記事由に鑑みて為されたものであり、その目的は、低コスト化が可能なピアノハンドル式スイッチを提供することにある。
【０００８】
【課題を解決するための手段】
請求項１の発明は、押釦ハンドルが押し込まれたときに、この押釦ハンドルの押し込み動作にともなって反転ハンドルを反転回動させ、この反転ハンドルの反転回動に応じて接点部の切り換えを行うようにした押釦スイッチと、該押釦スイッチの前面側に軸支部により回動自在に取り付けられて前記押釦ハンドルをピアノタッチ操作で押圧するピアノハンドルとを備え、前記ピアノハンドルは、レーザビームを照射することにより発色させた飾色部が前面に設けられてなることを特徴とするものであり、ピアノハンドルの前面にレーザビームを照射することにより発色させた飾色部が設けられているので、従来のようにインモールド転写によりピアノハンドルの前面に飾色部を形成する必要がなく、転写用フィルムが不要になるとともに成形に伴うコストの削減を図ることができ、また、レーザビームを照射することにより発色させて形成される飾色部は、インモールド転写により形成される飾色部の位置精度に比べて精度が高いので良品率が高くなるから、製造コストを低減でき、低コスト化を図ることができる。しかも、飾色部をネームカバーと独立してピアノハンドルの前面に設けることができるから、従来のようにネームカバーに飾色部を設ける必要がなく、ピアノハンドルの大きさやベース色などにより区別されるピアノハンドルの品種に関わらず共通のネームカバーを使用可能となるので、ネームカバーの共通化が図れコストを低減できる。また、飾色部がインモールド転写により形成されている場合に比べて、飾色部の耐久性が高くなる。
また、請求項１の発明は、前記ピアノハンドルの前面に設けられ透明性材料からなるネームカバーと、前記ピアノハンドルの後面側に開閉自在に設けられて前記ネームカバーとの間でネームカードを保持する裏蓋とを備えるので、ネームカバーおよび裏蓋を前記ピアノハンドルの後面側から取り付けることが可能となり、組立作業を簡素化することができる。
また、請求項１の発明は、前記ネームカバーは、前記ピアノハンドルに貫設された窓孔に嵌入されるネームカバー本体と、前記ピアノハンドルの後面側で前記窓孔の開口周部に超音波溶着される固定部とを備えるので、ピアノハンドルへのネームカバーの接合強度を高めることができる。
【０００９】
請求項２の発明は、請求項１の発明において、前記飾色部は、レーザービームを照射することにより炭化反応させることで発色させてあるので、前記飾色部に起因したピアノハンドルの面粗さを小さくすることができ、操作感触を良好にすることができる。また、前記飾色部の所望の色品質を実現することが可能となる。
【００１０】
請求項３の発明は、請求項１または請求項２の発明において、前記飾色部はピアノハンドルの前面においてストライプ状に形成された複数の化粧ラインであって、各化粧ラインそれぞれは、レーザビームを照射することにより形成された複数本の平行なラインにより構成されているので、１つの化粧ラインを１本のラインで構成する場合に比べてレーザビームのパワーを低減させることが可能で、ピアノハンドルの前面の化粧ラインに起因した面粗さを小さくすることが可能になり、ピアノハンドルの操作感触を良好にすることができる。
【００１２】
請求項４の発明は、請求項１ないし請求項３の発明において、前記ネームカバーと前記裏蓋と前記ネームカードとを１ブロック化してなるので、組立作業を簡素化することが可能になる。
【００１３】
請求項５の発明は、請求項１ないし請求項４の発明において、前記ネームカバーは、前記ネームカードが当接する面に曲率が設けられてなるので、静電気によりネームカードがネームカバーに付着するのを防ぐことができ、ネームカードの取り替えが容易になる。
【００１４】
請求項６の発明は、請求項１ないし請求項５の発明において、前記ネームカバーは、前記ネームカードが当接する面にネームカードの密着を防ぐ密着防止突起が突設されてなるので、静電気によりネームカードがネームカバーに付着するのを防ぐことができ、ネームカードの取り替えが容易になる。
【００１６】
請求項７の発明は、請求項１ないし請求項６の発明において、前記ピアノハンドルは、当該ピアノハンドルの操作にともなって前記押釦ハンドルを押操作するスイッチ操作リブが一体に突設されてなるので、ピアノハンドルを押操作すればピアノハンドルから一体に突設されたスイッチ操作リブによって押釦ハンドルが押し込まれるから、スイッチ操作リブを別部材に設けて当該別部材をピアノハンドルに組み付ける場合に比べて、ピアノハンドルに対するスイッチ操作リブの位置精度が高くなるとともに、組立誤差が抑えられる。
【００１７】
請求項８の発明は、請求項１ないし請求項７の発明において、前記ピアノハンドルは、前面において前記軸支部とは反対側に当該ピアノハンドルの操作側を示す指示突起が突設されてなるので、ピアノハンドルに押力を作用させるべき端部が指示突起側であることが明確に示され、また、手触りでも分かるようになる。
【００１８】
請求項９の発明は、請求項１ないし請求項８の発明において、規格化された埋込型の配線器具の１個モジュール寸法に形成された前記押釦スイッチを一方向に３個並べて取り付けることのできる取付窓を有した３個モジュール寸法の取付枠に当該１個モジュール寸法の押釦スイッチを上記一方向に３個並べて取り付け、前記取付窓よりも大きく且つ前記３個の押釦スイッチの前面を露出する開口窓を有したプレートを前記取付枠の前面に取着したときに各押釦スイッチに取り付けられる前記ピアノハンドルの寸法を前記開口窓を長手方向に略３等分した寸法としたので、押釦スイッチを３個用いる場合にも押釦スイッチを１個または２個用いる場合と共通仕様の取付窓を有する取付枠、プレートが使用できて部品の共通化が図れる。
【００１９】
請求項１０の発明は、請求項１ないし請求項８の発明において、規格化された埋込型の配線器具の１個モジュール寸法に形成された前記押釦スイッチを一方向に３個並べて取り付けることのできる取付窓を有した３個モジュール寸法の取付枠に当該１個モジュール寸法の押釦スイッチを上記一方向に２個並べて取り付け、前記取付窓よりも大きく且つ前記２個の押釦スイッチの前面を露出する開口窓を有したプレートを前記取付枠の前面に取着したときに各押釦スイッチに取り付けられる前記ピアノハンドルの寸法を前記開口窓を長手方向に略２等分した寸法としたので、押釦スイッチを２個用いる場合にも押釦スイッチを１個または３個用いる場合と共通仕様の取付窓を有する取付枠、プレートが使用できて部品の共通化が図れる。
【００２０】
請求項１１の発明は、請求項１ないし請求項８の発明において、規格化された埋込型の配線器具の１個モジュール寸法に形成された前記押釦スイッチを一方向に３個並べて取り付けることのできる取付窓を有した３個モジュール寸法の取付枠に当該１個モジュール寸法の押釦スイッチを上記一方向における略中央に１個取り付け、前記取付窓よりも大きく且つ前記１個の押釦スイッチの前面を露出する開口窓を有したプレートを前記取付枠の前面に取着したときに押釦スイッチに取り付けられる前記ピアノハンドルの寸法を前記開口窓の長手方向の寸法に略等しい寸法としたので、押釦スイッチを１個用いる場合にも押釦スイッチを２個または３個用いる場合と共通仕様の取付窓を有する取付枠、プレートが使用できて部品の共通化が図れる。
【００２１】
請求項１２の発明は、請求項１ないし請求項１１の発明において、前記押釦スイッチに前記接点部の状態に応じて発光する発光手段を具備し、前記ピアノハンドルに取り付けられて前記発光手段の光を前記ピアノハンドルの前面側へ導く導光部材を備え、該導光部材には、前記光を拡散させるシボ加工が施されてなるので、前記ピアノハンドルの前面側で導光部材の前面を均一に光らせることができ、発光手段の発光の有無に関する視認角度が向上する。
【００２２】
請求項１３の発明は、請求項９の発明において、前記押釦スイッチに前記接点部の状態に応じて発光する発光手段を具備し、前記ピアノハンドルに取り付けられて前記発光手段の光を前記ピアノハンドルの前面側へ導くプリズムと、前記プリズムの前面側に配設され表示を行う発光表示部とを備え、該プリズムは、前記ピアノハンドルの後面側で発光表示部の一部を挟み込んだ形で前記ピアノハンドルの後面側に超音波溶着されてなるので、発光手段と発光表示部との位置がずれていても前記発光手段の光を前記ピアノハンドルの前面側へ確実に導くことができ、また、前記ピアノハンドルへの前記プリズムの接合強度を高めることができる。
【００２６】
【発明の実施の形態】
まず、本発明の特徴であって後述の各実施形態に共通する点について説明する。
【００２７】
図１および図２は本発明のピアノハンドル式スイッチに用いるピアノハンドル４３を示し、図１のピアノハンドル４３の前面（操作面）には、ピアノハンドル４３の前後方向に貫設された窓孔２５２に配設されたネームカバー２５３とは別に、複数本の化粧ライン１１５がストライプ状に形成されている。また、図２のピアノハンドル４３は、窓孔２５２およびネームカバー２５３が設けられていない点が図１のピアノハンドル４３と相違する。
【００２８】
ここにおいて、図１および図２に示すピアノハンドル４３は、着色材を含有した合成樹脂成形品（例えば、ＡＢＳ樹脂成形品）により構成されており、前面（操作面）にレーザビームを照射することによりストライプ状に形成された複数本の化粧ライン１１５を有している。化粧ライン１１５は、ピアノハンドル４３の操作面にレーザビームを照射することにより炭化反応させて発色させた飾色部により構成されている。
【００２９】
しかして、ピアノハンドル４３の前面にレーザビームを照射することにより炭化反応させて発色させた化粧ライン１１５が設けられているので、従来のようにインモールド転写によりピアノハンドル４３の前面に化粧ライン１１５’を形成する必要がなく、転写用フィルムが不要になるとともに成形に伴うコストの削減を図ることができ、また、レーザビームを照射することにより炭化反応させて発色させて形成される化粧ライン１１５は、インモールド転写により形成される化粧ライン１１５’の位置精度に比べて精度が高いので良品率が高くなるから、製造コストを低減でき、低コスト化を図ることができる。しかも、化粧ライン１１５をネームカバー２５３と独立してピアノハンドル４３の前面に設けることができるから、従来のようにネームカバー２５３’に化粧ライン１１５’を設ける必要がなく、ピアノハンドル４３の大きさやベース色などにより区別されるピアノハンドル４３の品種に関わらず共通のネームカバー２５３を使用可能となるので、ネームカバー２５３の共通化が図れコストを低減できる。また、インモールド転写により形成された化粧ライン１１５’に比べて、化粧ライン１１５の耐久性が高くなる。
【００３０】
化粧ライン１１５を形成するにあたっては、レーザビームをピアノハンドル４３の前面に照射して樹脂を炭化作用させることによりマーキングを実施するレーザマーキング装置（図示せず）を用いた。ここにおいて、レーザマーキング装置としては、例えば、レーザ発振器のビームの発振波形がいわゆるＱスイッチパルスであり、レーザの波長がＹＡＧレーザの波長である１．０６μｍであるものを用いることができる。
【００３１】
ところで、上述のレーザ装置を２台用いることにより、図１における上下方向においてネームカバー２５３を挟んで上側の領域と下側の領域とで同時に化粧ライン１１５を形成することができるので、１つのピアノハンドル４３に所定数の化粧ライン１１５を形成する処理の高速化を図ることができる。
【００３２】
また、図３中に右向きの矢印で示すようにレーザービームを単方向（図３における右向き）へスキャンニングすることにより、つまり、化粧ライン１１５の左端である始点から右端である終点までスキャンニングする度に次の化粧ライン１１５の左端である始点に戻って始点から右端の終点までスキャンニングすることにより、図３における各化粧ライン１１５の左端、右端それぞれの位置を高精度に揃えることができるから、化粧ライン１１５の両端をそれぞれ図３における上下方向に沿った１直線上に揃えることができ、見栄えがよくなる。
【００３３】
また、図４中に右向き、左向きの矢印で示すようにレーザビームを双方向にスキャンニングすることにより、単方向にスキャンニングする場合に比べて、１つのピアノハンドル４３に所定数の化粧ライン１１５を形成する処理の高速化を図ることができる。
【００３４】
ところで、各化粧ライン１１５を、図５または図６に示すように、レーザビームを照射することにより形成された複数本の平行なライン１１５ａにより構成すれば、１つの化粧ライン１１５を１本のラインで構成する場合に比べてレーザビームのパワーを低減させることが可能で、ピアノハンドル４３の前面の化粧ライン１１５に起因した面粗さを小さくすることが可能になり、ピアノハンドル１１５の操作感触を良好にすることができる。ここに、図５は、１つの化粧ライン１１５を３本のライン１１５ａで構成した例、図６は、１つの化粧ライン１１５を４本のラインで構成した例である。なお、後述する各実施形態における各化粧ライン１１５は、例えば、幅（図１の上下方向における幅）を０．３７ｍｍ、長さ（図１の左右方向の寸法）を２３．５ｍｍに設定してある。
【００３５】
なお、化粧ライン１１５が形成されていない部分の表面の面粗さ（ＲｐあるいはＲｍ）は０．５μｍ以下、化粧ライン１１５と化粧ライン１１５の周辺部分とを含めた部分の表面の面粗さ（ＲｐまたはＲｍ）は１０μｍ以下（つまり、０〜１０μｍ）としてある。また、化粧ライン１１５は周辺部分よりも色が濃くて該周辺部分との色差ΔＥを３以上としてある。ここに、色差ΔＥは、化粧ライン１１５の色品質の目安となるものであり、化粧ライン１１５を人間の目で明瞭に視認できる程度の色差ΔＥの下限値として３を設定した。また、化粧ライン１１５とその周辺部分とを含めた面の面粗さ（ＲｐあるいはＲｍ）は、手で触ってざらつきを感じず且つ良好な光沢感を有する程度の面粗さとして０〜１０μｍを設定した。なお、上述の色差ΔＥ、面粗さの数値は適宜設定すればよい。
【００３６】
上述のように、１つの化粧ライン１１５を複数本のライン１１５ａで構成する場合は、レーザビームのピアノハンドル４３表面でのスポット径、バイトサイズ（バイトサイズは、スキャンニング速度とＱスイッチパルス周波数とから算出される）、レーザパワーの条件設定により、１つの化粧ライン１１５当たりのライン１１５ａの本数に関わらず同等の色品質を確保することができる。また、これらの条件設定は、ピアノハンドル４３のベース色に応じて適宜設定すればよい。
【００３７】
（実施形態１）
本実施形態のピアノハンドル式スイッチは、図２２に示すように、押釦ハンドル３２を備え押操作毎に接点部１００（図１３参照）を反転させる押釦スイッチよりなるスイッチ本体１と、スイッチ本体１の前面（図２２の上面）に対向する形で配設され一端部がスイッチ本体１に枢着されるとともに押釦ハンドル３２を押し込み可能なピアノハンドル４３とを備える。スイッチ本体１の器体５は矩形枠状であって器具取付用の窓孔（取付窓）２ａを有した取付枠２に保持される。また、取付枠２の前面側には取付枠２の窓孔２ａよりも長寸かつ広幅の開口窓１２０ａ，１３０ａを備えるプレート（プレート枠１２０および化粧プレート１３０）が重ね合わせて配置される。取付枠２は器具取付手段としての器具取付孔２ｂを長手方向において３組備える。
【００３８】
以下では、まずスイッチ本体１について図７ないし図１５を用いて説明する。スイッチ本体１の器体５は直方体状であって、ともに合成樹脂成形品である前面開口したボディ５ｂと、ボディ５ｂの前面側に結合される後面開口したカバー５ａとにより形成される。すなわち、カバー５ａの短手方向の両側壁の後縁からは後方に向かって組立片３が延設され、組立片３に設けた組立孔４がボディ５ｂの短手方向の両側面に形成してある組立突起６に係合することによりボディ５ｂとカバー５ａとが結合される。組立突起６にはボディ５ｂからの突出寸法をカバー５ａに近い側ほど小さくする傾斜面６ａが形成され、カバー５ａをボディ５ｂに近付けるように力を作用させるだけで組立片３が組立突起６に簡単に結合されるようにしてある。
【００３９】
器体５の短手方向の寸法は、大角連用形（ＪＩＳ  Ｃ８３０４参照）と称する埋込型の配線器具の施工時に用いる取付枠に３個まで取着可能な寸法に形成してある。つまり、上述した取付枠２の窓孔２ａの長手方向の寸法は埋込型の配線器具の施工時に用いる取付枠の窓孔の長手方向の寸法と等しく設定してあり、したがって、本実施形態に示すスイッチ本体１の器体５の短手方向の寸法は取付枠２の窓孔２ａの長手方向の寸法の略３分の１の寸法になる。この寸法を大角連用形の配線器具と同様に、「１個モジュール寸法」と呼ぶ。
【００４０】
一方、器体５の長手方向の寸法は窓孔２ａの短手方向の寸法に略等しく、器体５の前部を形成するカバー５ａの長手方向の各側面には、取付枠２の窓孔２ａを囲む部位に設けた上記器具取付孔２ｂに係合可能な取付爪１１ａ，１１ｂがそれぞれ一対ずつ突設してあり、取付爪１１ａ，１１ｂが器具取付孔２ｂに係合することによって器体５が取付枠２に保持されるようにしてある。カバー５ａの長手方向の一方の側壁には後端が開放された前後方向の２本の切り込み溝１１ｃが形成され、両切り込み溝１１ｃの間の部位は厚み方向に可撓性を有する撓み片１１ｄを形成している。カバー５ａ内において撓み片１１ｄの裏面側には空所１２が形成され、撓み片１１ｄをカバー５ａの内側に撓ませることによって取付爪１１ａをカバー５ａの側面から弾性的に後退させることが可能になっている。
【００４１】
したがって、カバー５ａの長手方向の一方の側面に設けた取付爪１１ｂを取付枠２の器具取付孔２ｂに挿入するとともに、取付爪１１ａをカバー５ａの側面から後退させるようにして取付枠２の窓孔２ａに器体５を挿入すれば、器具取付孔２ｂに取付爪１１ａが挿入されて器体５が取付枠２に保持される。また、撓み片１１ｄをカバー５ａに押し込むようにすれば、取付爪１１ａが器具取付孔２ｂから抜け、取付枠２から器体５を取り外すことができる。撓み片１１ｄの後端部外側面には撓み片１１ｄの押し込みを容易にするために押突起１１ｅが突設されている。取付枠２は後述するように埋込型の配線器具と同様に壁面などの施工面に取り付けられ、器体５の後部は施工面に埋設される。
【００４２】
ところで、ボディ５ｂの内部空間は長手方向において３室に区画され、両側の区画は端子が収納される端子収納室１３，１４となり、中央部はスイッチ機構部が収納される中央収納室２３を形成している。端子収納室１３には端子板１５と２個の鎖錠ばね１６と解除釦１７とからなる端子が収納され、端子収納室１４には端子板１８と２個の鎖錠ばね１９と解除釦２１とからなる端子が収納される。また、端子収納室１３，１４に対応するボディ５ｂの後壁には、図１１、図１３に示すように、各一対の電線挿入口１３ａ，１４ａが貫設され、各一対の電線挿入口１３ａ，１４ａの近傍にはそれぞれ１個ずつの解除孔１３ｂ，１４ｂが貫設される。
【００４３】
鎖錠ばね１６，１９は、弾性を有する導電性金属の帯板の両端部をそれぞれ曲成することにより、中央片１６ｃ，１９ｃの両端部に鎖錠片１６ａ，１９ａと接触片１６ｂ，１９ｂとをそれぞれ形成したものである。鎖錠片１６ａ，１９ａはＪ字状に曲成され、中央片１６ｃ，１９ｃとの連結部位から先端に向かって中央片１６ｃ，１９ｃとの距離を広げるように傾斜する。また、接触片１６ｂ，１９ｂはＳ字状に曲成され、中央片１６ｃ，１９ｃの厚み方向に弾性を有している。
【００４４】
一方、各端子板１５，１８は全体形状としては後方に開放されたコ字状であって、前片１５ａ，１８ａおよび前片１５ａ，１８ａの後方に位置して互いに対向する押さえ片１５ｂ，１８ｂおよび当接片１５ｃ，１８ｃを備える。鎖錠ばね１６，１９の中央片１６ｃ，１９ｃは平板状であり、端子板１５，１８の当接片１５ｃ，１８ｃに当接し、鎖錠片１６ａ，１９ａおよび接触片１６ｂ，１９ｂを押さえ片１５ｂ，１８ｂに対向させる。端子板１５，１８および鎖錠ばね１６，１９と電線挿入口１３ａ，１４ａとの位置関係は、上述した電線挿入口１３ａ，１４ａから器体５に導入される電線が鎖錠ばね１６，１９の鎖錠片１６ａ，１９ａおよび接触片１６ｂ，１９ｂと端子板１５，１８の押さえ片１５ｂ，１８ｂとの間に挿入されるように設定されている。したがって、器体５に電線が挿入されると、鎖錠片１６ａ，１９ａおよび接触片１６ｂ，１９ｂと端子板１５，１８の押さえ片１５ｂ，１８ｂとの間で電線が挟持され、鎖錠片１６ａ，１９ａの先端が電線の芯線に食い込んで抜止がなされるとともに、鎖錠片１６ａ，１９ａおよび接触片１６ｂ，１９ｂによって電線の芯線と端子板１５，１８との電気的接続がなされる。鎖錠ばね１６，１９のばね力を利用して端子ねじを用いることなく電線を接続することができるこの種の構造の端子は速結端子と呼ばれている。速結端子において電線の機械的接続状態および電気的接続状態として所要の性能を得るには、電線挿入口１３ａ，１４ａへの電線の挿入量を一定にする必要がある。そこで、電線の絶縁被覆を剥く量が一定であるか否かを簡単に確認することができるように、ボディ５ｂの後面にはゲージ溝２２が形成されている。絶縁被覆を剥くときには電線の端部をゲージ溝２２に合わせて絶縁被覆を剥く量を確認すればよい。
【００４５】
解除釦１７，２１はユリア樹脂のような熱硬化性樹脂を用いて形成され、後部を解除孔１３ｂ，１４ｂに臨ませる形でボディ５ｂの各端子収納室１３，１４にそれぞれ収納される。解除釦１７，２１の一部は鎖錠ばね１６，１９の鎖錠片１６ａ，１９ａに接触可能であって、解除孔１３ｂ，１４ｂを通してマイナスドライバのような工具の先端部で解除釦１７，２１を押操作すれば、鎖錠片１６ａ，１９ａを端子板１５，１８の押さえ片１５ｂ，１８ｂから引き離して電線の保持力を弱め、この状態で電線を引き抜くことができる。ここに、各解除釦１７，２１は各端子板１５，１８に対応する各一対の鎖錠ばね１６，１９にそれぞれ跨るように配置され、各端子板１５，１８に対応する２個ずつの鎖錠ばね１６，１９の鎖錠片１６ａ，１９ａを同時に押すことができるようになっている。
【００４６】
端子収納室１４に収納される端子板１８には、中央収納室２３に挿入される接点保持片１８ｄが一体に形成してあり、接点保持片１８ｄの先端部には中央収納室２３内で固定接点２５が設けられる。また、端子収納室１３に収納される端子板１５には、中央収納室２３まで延長される連絡片１５ｄが延出してあり、連絡片１５ｄの先端部には中央収納室２３の後壁内周面に沿って配置される支持片１５ｅが形成されている。連絡片１５ｄは当接片１５ｃよりも押さえ片１５ｂよりに位置するように形成され、中央収納室２３内に配置される接点保持片１８ｄとの絶縁距離を比較的大きくとってある。支持片１５ｅには平板状の導電板からなる開閉子２４の後端縁が当接する。開閉子２４の後部両側縁には突部２８が突設され、突部２８は中央収納室２３内で設けた前端側が広いＶ字状の位置規制凹部２７に挿入される。したがって、開閉子２４は支持片１５ｅに後端縁が接触した状態で後縁を中心として位置規制凹部２７の範囲内で回動可能になる。開閉子２４は接点保持片１８ｄに対向するように配置され、接点保持片１８ｄに設けた固定接点２５との対向部位には固定接点２５とともに接点部１００を構成する可動接点２９を設けてある。つまり、開閉子２４が回動することにより、可動接点２９が固定接点２５に接離し、端子板１５と端子板１８とを電気的に接続する状態と分離する状態とが選択される。
【００４７】
上述のように、端子収納室１３，１４に収納された各一対の鎖錠ばね１６，１９はそれぞれ１つの端子板１５，１８に対応して配置されているから、各一対の鎖錠ばね１６，１９はそれぞれ電気的に接続されている。つまり、接点部１００の開閉によって端子収納室１３に収納された端子板１５に対応する２個の鎖錠ばね１６と端子収納室１４に収納された端子板１８に対応する２個の鎖錠ばね１９との導通、非導通が同時に切り換えられるから、２個ずつ設けられている鎖錠ばね１６，１９の一方を送り配線用の端子として用いることができる。
【００４８】
ここにおいて、本実施形態ではボディ５ｂの前端の開口面よりも端子板１５，１８の前片１５ａ，１８ａのほうが前方に突出するように端子板１５，１８を配置してあり、端子板１５，１８がカバー５ａ側に浮き上がらないようにするために、カバー５ａの内周面には端子板１５，１８の前片１５ａ，１８ａに当接する押さえ用ボス５３が形成されている。なお、本実施形態においては、ボディ５ｂの前面開口から端子板１５，１８を突出させる寸法は、ボディ５ｂの後面が略一平面になる程度に設定される。
【００４９】
ところで、両端子板１５，１８の間にはネオンランプからなる位置表示灯Ｌ１と限流用の抵抗Ｒ１とを備えた表示ブロックＢ１が接続される。表示ブロックＢ１は、３枚の導電板６１〜６３を同時一体に成形した合成樹脂成形品であるブロック本体６０を備える。ブロック本体６０は前方から見てコ字状に形成され、導電板６１の一端部をへ字状に折曲して形成した接触子６１ａをブロック本体６０の一方の脚片の先端から突出させ、導電板６１の他端部を断面Ｕ字状に曲成したかしめ部６１ｂを上記一方の脚片の基部に突出させてある。また、導電板６２の一端部をへ字状に折曲して形成した接触子６２ａをブロック本体６０の中央片から突出させ、導電板６２の他端部を断面Ｕ字状に曲成したかしめ部６２ｂをブロック本体６０の一側面から突出させてある。ブロック本体６０の同じ側面には導電板６３の一端部を断面Ｕ字状に曲成したかしめ部６３ｂも突出する。導電板６３は他端部にも断面Ｕ字状に曲成したかしめ部６３ａを備え、かしめ部６３ａはブロック本体６０の他方の脚片の基部に突出させてある。抵抗Ｒ１はかしめ部６１ｂとかしめ部６３ａとにかしめて接続され、位置表示灯Ｌ１はかしめ部６２ｂとかしめ部６３ｂとにかしめて接続される。
【００５０】
ブロック本体６０は端子収納室１４に対応する部位でカバー５ａに収納され、ブロック本体６０から突出する２本の接触子６１ａ，６２ａは端子板１５，１８の前片１５ａ，１８ａにそれぞれ接触するように配置される。すなわち、カバー５ａの長手方向の一端部には後面開口した収納凹所５５が形成され、収納凹所５５にブロック本体６０が収納される。収納凹所５５の一方の壁面である仕切壁５５ａには収納凹所５５側に突出する一対の突条部５５ｂ（図１５参照）が設けてあり、突条部５５ｂはブロック本体６０を収納凹所５５に収納するとブロック本体６０の脚片の先端に圧接するように形成されている。したがって、収納凹所５５にブロック本体６０を収納すれば、ブロック本体６０はカバー５ａに仮保持され、カバー５ａをボディ５ｂに結合する際にブロック本体６０を押さえる必要がなく結合作業を容易に行うことができる。
【００５１】
ブロック本体６０をカバー５ａに仮保持させた状態でカバー５ａをボディ５ｂに結合すれば、接触子６１ａの先端部が端子板１５の前片１５ａに弾接し、接触子６２ａの先端部が端子板１８の前片１８ａに弾接する。つまり、抵抗Ｒ１と位置表示灯Ｌ１との直列回路が両端子板１５，１８の間に挿入されることになる。したがって、スイッチ本体１の内部回路を図示すれば図１６のようになる。本実施形態では固定接点２５と可動接点２９とを１個ずつ備えた単極単投（いわゆる片切）の接点部１００を構成しており、抵抗Ｒ１と位置表示灯Ｌ１との直列回路が接点部１００に並列接続されるのである。この構成では、接点部１００を電源と負荷との間に挿入して負荷への電源を入切する片切のスイッチとして用いるとすれば、負荷に電源を供給していないときに位置表示灯Ｌ１が点灯することになる。つまり、負荷として照明負荷を用いるとすれば、照明負荷が消灯しているときには位置表示灯Ｌ１が点灯することによって、暗がりでもスイッチの位置を容易に確認することができる。
【００５２】
カバー５ａにおいて収納凹所５５に対応する部位の前壁には、軸部１９２の間の部位に収納凹所５５に連通する透孔窓４０が形成され、透孔窓４０には透光性を有したランプカバー４１が取り付けられる。したがって、位置表示灯Ｌ１の点灯・消灯の状態はランプカバー４１を通して視認することができる。
【００５３】
ボディ５ｂの後面や側面の適宜部位には接点部１００の構成、型式を示す記号、定格容量などを示す表記５６が設けられている。この表記５６はボディ５ｂを形成する材料に珪素含有無機化合物または珪素を含有するピグメントを混入しておき、表記５６のパターンが得られるようにレーザビームを照射することで発色させてある。このような表記５６を形成する際には、適切に選択したピグメントにより着色した材料を用いることで、比較的低強度のレーザビームを用いながらも明確なコントラストを与えることができる。
【００５４】
ところで、接点部１００は開閉子２４を回動させるために設けた反転ばね３０、反転ハンドル３１、押釦ハンドル３２、スライドカム３３、復帰ばね３７とともにスイッチ機構部を構成する。反転ばね３０はコイルスプリングであり、反転ばね３０の後端部には開閉子２４の前縁に突設されたばね座片２４ａが挿入され、前端部は反転ハンドル３１に設けた後面開口した筒部３１ａ内に収められる。反転ハンドル３１はカバー５ａの前面に設けた凹部５１の底壁に貫設された貫通孔５２を通して前端部がカバー５ａの前面側に露出する。また、反転ハンドル３１の中間部の両側面には前端部が先細りとなる三角形状の支点突起３１ｂが突設され、貫通孔５２の両側縁に形成され後方に開放された軸受部５０に支点突起３１ｂが枢支されることで、反転ハンドル３１はカバー５ａに対して揺動自在に取り付けられる。つまり、反転ハンドル３１の前端部をカバー５ａの貫通孔５２に後方から挿入するとともに、支点突起３１ｂを軸受部５０に挿入することで、カバー５ａに対して反転ハンドル３１が揺動自在になる。上述のように反転ハンドル３１は反転ばね３０を介して開閉子２４に連結されており、反転ハンドル３１が揺動すると揺動範囲の中間で反転ばね３０がもっとも圧縮される位置を通過する。この位置の前後において反転ばね３０から開閉子２４に作用するばね力の向きが反転し、反転ばね３０のばね力により開閉子２４が急速に移動するのである。
【００５５】
ところで、反転ハンドル３１において貫通孔５２を通してカバー５ａの前面側に露出する部位の両側部には前方に突出してスライドカム３３に掛合する一対の掛合突起３４を突設してある。スライドカム３３はカバー５ａに設けた押釦ハンドル３２の押操作時に反転ハンドル３１の位置関係に応じて反転ハンドル３１の揺動方向を含む面内において押釦ハンドル３２の裏面に沿ってスライドするように構成されている。スライドカム３３の構成については後述する。
【００５６】
ところで、押釦ハンドル３２は、長手方向の両外側面の後端部に突出するガイド突起３６を備え、カバー５ａの凹部５１の両側内周面の後部に前後方向（図１３の上下方向）に沿って形成された案内溝３５にガイド突起３６が挿入されることによって、前後方向に移動自在かつ前方への抜止がなされている。
【００５７】
押釦ハンドル３２の後面には突起３２ｄが突設され、板ばねからなる復帰ばね３７の平片３７ｂに穿孔した孔３７ｄに突起３２ｄを挿入することにより、復帰ばね３７が押釦ハンドル３２の後面に取り付けられる。復帰ばね３７は平片３７ｂから後方に向かって開拡した２つの復帰ばね片３７ａを一体に延設して形成され、復帰ばね３７のばね片３７ａの先端が凹部５１の底面に弾接されることにより押釦ハンドル３２が前方に向かって付勢される。
【００５８】
スライドカム３３はポリアセタールのような弾性に富む熱可塑性樹脂によりロ字状に成形してあり、対向する側辺部の後面に反転ハンドル３１の掛合突起３４に対応する掛合カム体３８が突設され、さらに別の側辺部の中央部に一対のばね片３３ａがハ字状となるように一体に突設された形状を有している。図１８のように押釦ハンドル３２の後面に突設された突起３２ａが上記両ばね片３３ａの間に挿入されることによって、押釦ハンドル３２の後面においてスライドカム３３が摺動自在に装着され、かつばね片３３ａの弾性によってスライドカム３３に復帰力が与えられる。
【００５９】
スイッチ本体１の器体のカバー５ａの表面側端部には、ピアノハンドル４３を枢着するために、斜め前方に突出する一対の軸部１９２が一体に突設してある。軸部１９２の前端部はカバー５ａの短手方向に沿った円柱状に形成される。ピアノハンドル４３の背面の一端部には、図１７に示すように、板ばねにより形成された金属製の軸受用ばね１９１ｂをはめ込み用穴１９１ａに装着した軸受部１９１が設けてある。はめ込み用穴１９１ａは内周面の片側に係止穴１９０を備え、はめ込み用穴１９１ａに収納される軸受用ばね１９１ｂの抜け止め爪１９１ｃを係止して軸受用ばね体１９１ｂを固持している。軸受用ばね体１９１ｂは先端をはめ込み用穴１９１ａ内へ突出させるように曲げ形成され、突出部１９１ｄとはめ込み用穴１９１ａとで軸部１９２を保持する。
【００６０】
はめ込み用穴１９１ａの開口付近には軸受用ばね１９１ｂの突出部１９１ｄが設けてあるから、はめ込み用穴１９１ａの内部よりも開口幅が狭く、スイッチ本体１に設けた軸部１９２を軸受用ばね１９１ｂのばね力に抗してはめ込み用穴１９１ａに弾性的にはめ込むと、軸部１９２と軸受部１９１とが枢着され、容易には外れないようにしてある。このように軸部１９２を軸受部１９１に回動自在に嵌め込むことでピアノハンドル４３を回動自在に枢着することができる。なお、ピアノハンドル４３の他端部には後方に向かって抜け止め用の抜止片４３ａを突設してある。抜止片４３ａはカバー５ａの前壁に形成した挿入孔５４を通して空所１２内に挿入され、抜止片４３ａの先端部に設けた係止爪４３ｂが挿入孔５４の周縁に係止されることによって、ピアノハンドル４３の回動範囲が規制される。挿入孔５４は図９のように３個並んで設けられている。また、挿入孔５４に近接して設けられている端子板１５には、押さえ片１５ｂから前方に案内片１５ｆが延設され、端子板１５に接続される電線が挿入孔５４側に突出することによって抜止片４３ａに干渉するのが防止されている。
【００６１】
上記のようにピアノハンドル４３がスイッチ本体１に取り付けられることにより、ピアノハンドル４３の上記他端部を押操作すると、軸受部１９１と軸部１９２と枢着部を中心にしてピアノハンドル４３が回動する。ピアノハンドル４３の後面には一対の操作用リブ４３ｃが突設されており、ピアノハンドル４３を押操作すれば上記操作用リブ４３ｃによってスイッチ本体１に設けた押釦ハンドル３２が器体５に押し込まれるのである。
【００６２】
以下に、上記スイッチ本体１の動作を簡単に説明する。図１８は可動接点２９が固定接点２５に接触している状態、すなわち接点部１００が閉成された状態を示しており、反転ハンドル３１は図の右側に倒れている。このときスライドカム３３はばね片３３ａにより移動範囲の中央位置に位置している。この状態からピアノハンドル４３（図１８では図示を省略している）に押力を作用させると、押釦ハンドル３２が復帰ばね３７に抗して器体５に押し込まれ、押釦ハンドル３２とともにスライドカム３３が図１８の下向きに移動する。このときスライドカム３３の図中左側の掛合カム体３８が反転ハンドル３１の左側の掛合突起３４に当接して反転ハンドル３１の左端部を押すから、反転ハンドル３１が支点突起３１ｂの前端を中心として左回りに回転する。スライドカム３３の左側の掛合カム体３８は反転ハンドル３１の左側の掛合突起３４よりも左側に位置しており、反転ハンドル３１が回転するのに伴ってスライドカム３３が左方に押されて図１９に示すようにスライドカム３３が図中の左側にスライドする。こうして図２０のように反転ハンドル３１が図の左側に倒れるようになり、反転ばね３０が反転して開閉子２４が反転し、可動接点２９が固定接点２５から切り離された状態、すなわち接点部１００が開放状態に反転する。その後、ピアノハンドル４３に作用させた押力を解除すると、図２１のように復帰ばね３７のばね力により押釦ハンドル３２が押し戻され、押釦ハンドル３２に当接しているピアノハンドル４３も元の位置に復帰する。また同時に、スライドカム３３もばね片３３ａのばね力でスライドして中央位置に復帰する。
【００６３】
こうして、接点部１００が開放状態となっているときにピアノハンドル４３に再び押力を作用させると、上述の動作と同様にして反転ハンドル３１を回転させることができる。ただし、接点部１００が開放状態であるときには、反転ハンドル３１の右側の掛合突起３４がスライドカム３３の右側の掛合カム体３８に当接するから、反転ハンドル３１は右回りに回転し、反転ばね３０を介して可動接点２９に固定接点２５を接触させることになる。こうして接点部１００を反転させた後にピアノハンドル４３から押力を解除すれば、図１８に示す状態に戻る。要するに、本実施形態ではピアノハンドル４３の押操作毎に接点部１００が開閉されるのである。すなわち、スライドカム３３と反転ハンドル３１の掛合突起３４と復帰ばね３７とによって、押釦ハンドル３２の押操作を反転ハンドル３１の揺動に変換する変換機構部が構成される。
【００６４】
ところで、上述した取付枠２は１個モジュール寸法のスイッチ本体１を３個取り付けることができるものであるから、３個用の取付枠２と呼ぶことにする。すなわち、取付枠２の窓孔２ａの両側の側片には、スイッチ本体１の取付爪１１ａ，１１ｂが係止される２個１組の器具取付孔２ｂ，２ｂが３組ずつ設けてあり、窓孔２ａ内でスイッチ本体１の取付位置を３箇所選択できるようになっている。ここで、窓孔２ａの長手方向にスイッチ本体１の短手方向を一致させてスイッチ本体１を取付枠２に取り付ける場合の３つの取付位置を、それぞれ上端位置、中央位置、下端位置と呼ぶことにする。また、取付枠２に１個モジュール寸法のスイッチ本体１を１個取り付ける際に用いるピアノハンドル４３であって、図２２に示すようにプレート（プレート枠１２０および化粧プレート１３０）の開口窓１２０ａ，１３０ａを１個で覆う程度の寸法を有したピアノハンドル４３を１個用のピアノハンドル４３と呼ぶことにする。同様に、３個用の取付枠２に１個モジュール寸法のスイッチ本体１を２個取り付ける際に用いるピアノハンドル４３であって、図４３に示すように各スイッチ本体１にそれぞれ取り付けられプレートの開口窓１２０ａ，１３０ａを２個で覆う程度の寸法を有したピアノハンドル４３を２個用のピアノハンドル４３と呼ぶことにし、さらに、３個用の取付枠２に１個モジュール寸法のスイッチ本体１を２個取り付ける際に用いるピアノハンドル４３であって、図５７に示すように各スイッチ本体１にそれぞれ取り付けられプレートの開口窓１２０ａ，１３０ａを３個で覆う程度の寸法を有したピアノハンドル４３を３個用のピアノハンドル４３と呼ぶことにする。
【００６５】
上述した３種類のピアノハンドル４３の上下方向（スイッチ本体１の短手方向）の寸法の関係は、（１個用のピアノハンドル４３の上下寸法）≒（２個用のピアノハンドル４３の上下寸法）×２≒（３個用のピアノハンドル４３の上下寸法）×３になる。また、上述したようにプレートの開口窓１２０ａ，１３０ａは取付枠２の窓孔２ａよりも長寸かつ広幅であり、この窓孔２ａにスイッチ本体１を挿入して取り付けるから、３個用のピアノハンドル４３の上下寸法はスイッチ本体１の上下寸法よりも大きくなっている。つまり、いずれのピアノハンドル４３も押釦ハンドル３２よりも操作面の面積が大きく、したがって押釦ハンドル３２を押操作するよりもピアノハンドル４３を押操作するほうが操作が容易になっている。
【００６６】
取付枠２の窓孔２ａにスイッチ本体１を１個だけ取り付ける場合を図２２ないし図３０に示し、１個用のピアノハンドル４３を図３１ないし図３８に示す。上述したように、ピアノハンドル４３の背面の一端部に設けられる軸受部１９１（図１７参照）は、スイッチ本体１に設けた一対の軸部１９２に対応するように上下方向の中央部付近に２つ設けられている。ただし、ピアノハンドル４３の各軸受部１９１に取り付けられる軸受用ばね１９１ｂは連続した１部材で形成される。ピアノハンドル４３は、ピアノハンドル４３の２つの軸受部１９１にスイッチ本体１の２つの軸部１９２を嵌め込むことにより、スイッチ本体１の上下方向の中心と１個用のピアノハンドル４３の上下方向の中心とが一致するように取り付けられる。また、１個用のピアノハンドル４３の背面の他端部には上下方向の中央部付近に２本の抜止片４３ａが突設され、各抜止片４３ａはスイッチ本体１の上下の挿入孔５４に挿入される。
【００６７】
ところで、図３４に示すようにピアノハンドル４３において軸受部１９１を設けている一端部において上下方向の中央部には、ピアノハンドル４３をスイッチ本体１に上述のように取り付けたときにスイッチ本体１のランプカバー４１に対応する部位で表示窓１１２が設けてあり、この表示窓１１２には導光部材たるレンズ１１３の先端部分がピアノハンドル４３の後面側から嵌合している。このレンズ１１３は透光性を有する合成樹脂製であって、先端部分が表示窓１１２に嵌合する矩形平板状の主体１１３ａと、主体１１３ａの端部側両側面より側方へ突設された側片１１３ｂとが一体に形成されている。
【００６８】
一方、ピアノハンドル４３裏面の表示窓１１２の周縁には、図３６に示すように先端部分が三つ又に形成されレンズ１１３の側片１１３ｂに設けた長孔状の固定孔１１３ｃに圧入される圧入リブ１１２ａが突設されている。つまり、主体１１３ａの先端部分をピアノハンドル４３の裏面側から表示窓１１２に嵌合し、圧入リブ１１２ａを側片１１３ｂの固定孔１１３ｃに圧入することで、図３５および図３８に示すようにレンズ１１３がピアノハンドル４３に固定される。そして、スイッチ本体１にピアノハンドル４３を取り付ければ、図２９および図３０に示すようにレンズ１１３の主体１１３ａの後端面がスイッチ本体１のランプカバー４１に対向配置され、ランプカバー４１から出射された位置表示灯Ｌ１の光が主体１１３ａの後端面から入射し表示窓１１２に嵌合させた主体１１３ａの先端面から外部へ照射されることになる。なお、レンズ１１３の主体１１３ａの後端面にはシボ加工が施してあり、入射した光を拡散させて上方向への視野角を拡げているので、位置表示灯Ｌ１の点灯の有無を視認できる角度が広くなっている。
【００６９】
また、図３４に示すようにピアノハンドル４３の上下方向の中央部であって表示窓１１２よりも上記他端部側には窓孔２５２がピアノハンドル４３の表裏に貫設され、この窓孔２５２にアクリル樹脂のような透明材料製のネームカバー２５３がピアノハンドル４３の裏面側から嵌入される。図３４および図３９および図４０に示すように、ネームカバー２５３は矩形平板状であって裏面側にネームカード２５０が収納される収納凹所２５３ｂを有した主部２５３ａと、主部２５３ａの前面側に主部２５３ａよりも一回り小さい寸法で突設されて窓孔２５２に嵌入されるネームカバー本体２５３ｃと、主部２５３ａの長手方向に沿った両側面より側方へ突設された薄板状の固定部２５３ｄと、固定部２５３ｄと連続一体に主部２５３ａの長手方向一端側より側方へ突設された枢支部２５３ｅとが一体成形されている。
【００７０】
ネームカバー２５３の枢支部２５３ｅには裏蓋たる扉２５４が開閉自在に枢支される。この扉２５４は、図３４および図３９に示すように矩形平板状の主片２５４ａと、主片２５４ａの一端側両端縁より突設された一対の脚片２５４ｂと、各脚片２５４ｂの先端部側面より突設された軸体２５４ｃと、主片２５４ａの他端側で一対の切欠２５４ｄにより分割形成された操作片２５４ｅ及び一対の腕片２５４ｆと、各腕片２５４ｆの先端部側面に側方へ向けて突設された突起２５４ｇとを具備する。そして、各脚片２５４ｂの軸体２５４ｃをネームカバー２５３の枢支部２５３ｅの内側面に開口した軸受部２５３ｆに回動自在に嵌め込んで軸体２５４ｃを中心にネームカバー２５３の収納凹所２５３ｂを開閉できるようになっている。そして、扉２５４の両腕片２５４ｆに設けられた突起２５４ｇを、ネームカバー２５３の主部２５３ａの裏面側において長手方向に沿った内側面端部の両側に形成した係合部２５３ｇに圧入係合して閉じた状態を保持するようになっている。
【００７１】
一方、ピアノハンドル４３裏面の窓孔２５２の周縁には、図３６に示すように扉２５４が回動自在に取着されたネームカバー２５３を嵌め込む嵌込凹部２５５が形成されている。この嵌込凹部２５５におけるネームカバー２５３の固定部２５３ｄと対向する部位には、窓孔２５２の長手方向に沿った突条２５６が突設されている。また、嵌込凹部２５５の抜止片４３ａが形成されている端部側面に係止溝２５７が設けてあり、この係止溝２５７に、図３８に示すようにネームカバー２５３の主部２５３ａの端部から突設されているリブ２５３ｈの先端が係止される。つまり、リブ２５３ｈを係止溝２５７に係止してネームカバー２５３を嵌込凹部２５５に嵌め込めばネームカバー２５３の仮止めすることができ、この仮止め状態で突条２５６を超音波で溶解することによりネームカバー２５３の固定部２５３ｄをピアノハンドル４３に超音波溶着している。したがって、ピアノハンドル４３へのネームカバー２５３の接合強度を高めることができる。
【００７２】
しかして、ネームカード２５０を収納する場合には操作片２５４ｅを引き起こすようにして扉２５４をネームカバー２５３の裏面側から開いて、ネームカード２５０をネームカバー２５３の収納凹所２５３ｂに収納し、この状態で扉２５４を閉じれば扉２５４とネームカバー２５３との間にネームカード２５０が挟持され、ピアノハンドル４３の窓孔２５２に嵌入された嵌入部２５３ｃ並びに主部２５３ａを通して表側からネームカード２５０の文字、数字、記号が視認できることとなる。ここで、本実施形態においては、主部２５３ａの収納凹所２５３ｂの底面に曲率を設けてあり、また、主部２５３ａの収納凹所２５３ｂ底面側端部には一対の密着防止突起たるリブ２５３ｊが突設されており、図３８および図４０に示すように収納凹所２５３ｂに収納されたネームカード２５０をリブ２５３ｊによって収納凹所２５３ｂの底面から浮かせている。すなわち、ネームカード２５０と収納凹所２５３ｂの底面との接触面積が大きいと静電気によってネームカード２５０の取り外しが行い難くなるため、主部２５３ａの収納凹所２５３ｂの底面に曲率を設け、さらにリブ２５３ｊによりネームカード２５０を浮かせることで接触面積を減らし、ネームカード２５０の取り外しを容易にしているものである。なお、嵌込凹部２５５の窓孔２５２を挟んで対向する両側部にはスイッチ本体１の押釦ハンドル３２を押圧操作する一対のスイッチ操作リブ４３ｃが一体に突設されており、ネームカバー２５３の主部２５３ａにはスイッチ操作リブ４３ｃが挿通されるリブ挿通孔２５３ｉが設けてあるから、ネームカバー２５３を取着してもスイッチ操作リブ４３ｃによる押釦ハンドル３２の押圧操作が邪魔されることはない。また、スイッチ操作リブ４３ｃをピアノハンドル４３とは別部材に設け当該別部材をピアノハンドル４３に組み付ける場合に比べて、ピアノハンドル４３に対するスイッチ操作リブ４３ｃの位置精度が高くなるとともに、組立誤差が抑えられる。
【００７３】
本実施形態では、上述のように扉２５４を回動自在に取着してユニット化（ブロック化）したネームカバー２５３をピアノハンドル４３の裏面側に固定するようにしたので、従来例のようにネームカバー２５３をピアノハンドル４３の表面に取着するとともに扉２５４をピアノハンドル４３の裏面に取着する構造に比較して、ピアノハンドル４３にネームカバー２５３及び扉２５４を組み立てる組立作業を極めて簡素化することができる。
【００７４】
ピアノハンドル４３の前面における上記他端部には、上下方向の中央位置に置指示突起１１４が突設され、ピアノハンドル４３に押力を作用させるべき端部が指示突起１１４側であることが示されている。また、ピアノハンドル４３の前面においてネームカバー２５３の上下両側には、複数本の化粧ライン１１５がストライプ状に形成してある。化粧ライン１１５は、ピアノハンドル４３を形成する合成樹脂成形品にレーザビームの照射して炭化反応させ、他の部分と色差が生じるように発色させることによって形成される。したがって、化粧ライン１１５とネームカバー２５３とは独立しているので、ネームカバー２５３を特に必要としない品種では図４１および図４２に示すようなピアノハンドル４３を採用してもよい。
【００７５】
ところで、取付枠２の窓孔２ａに２個のスイッチ本体１を取り付ける場合には、図４３ないし図５０に示すように、上端位置と下端位置とにそれぞれスイッチ本体１を取り付けることになる。各スイッチ本体１には図５１ないし図５４に示す２個用のピアノハンドル４３がそれぞれ取り付けられる。２個用のピアノハンドル４３は３個用のピアノハンドル４３と同様に、上下方向の中央部に２つの軸受部１９１を備え、取付枠２に対して上端位置および下端位置に取り付けた各スイッチ本体１の上下方向の中心位置と、各ピアノハンドル２の上下方向の中心位置とが一致するように取り付けられる。その結果、２個用のピアノハンドル４３においても上端位置用と下端位置用とを区別することなく共通して同じものを使用できる。２個用のピアノハンドル４３は上下寸法が１個用のピアノハンドル４３と異なるが他の構成は１個用のピアノハンドル４３と同様である。したがって、化粧ライン１１５とネームカバー２５３とは独立しているので、ネームカバー２５３を特に必要としない品種では図５５および図５６に示すようなピアノハンドル４３を採用してもよい。
【００７６】
取付枠２の窓孔２ａに３個のスイッチ本体１を取り付ける場合には、図５７ないし図６５に示すように、上端位置と中央位置と下端位置とにそれぞれスイッチ本体１を取り付け、各スイッチ本体１にそれぞれ図６６ないし図７２に示す３個用のピアノハンドル４３を取り付ける。３個用のピアノハンドル４３の背面の一端部には４個の軸受部１９１がスイッチ本体１の軸部１９２に対応する一定間隔で設けられる。また、上２個の軸受部１９１と下２個の軸受部１９１とに対応する軸受用ばね体１９１ｂはそれぞれ一体に形成されている。つまり、４個の軸受部１９１に対して軸受用ばね体１９１ｂを２部材で実現してある。また、３個用のピアノハンドル４３では抜止片４３ａはピアノハンドル４３の上下方向の中央付近に１個ずつ設けられる。
【００７７】
取付枠２に３個のスイッチ本体１を並設した場合、中央位置のスイッチ本体１に取り付けるピアノハンドル４３は、中央の２個の軸受部１９１にスイッチ本体１の軸部１９２をはめ込んで取り付ける。つまり、中央位置のスイッチ本体１についてはスイッチ本体１の上下方向の中心とピアノハンドル４３の上下方向の中心とが一致する。また、ピアノハンドル４３の抜止片４３ａはスイッチ本体１の中央の挿入孔５４に挿入される。一方、上端位置のスイッチ本体１に取り付けられるピアノハンドル４３は、下側の２個の軸受部１９１にスイッチ本体１の軸部１９２をはめ込んで取り付ける。つまり、上端位置についてはスイッチ本体１の上下方向の中心よりもピアノハンドル４３の上下方向の中心が上にずれて位置することになり、ピアノハンドル４３の抜止片４３ａはスイッチ本体１の上の挿入孔５４に挿入される。また、下端位置のスイッチ本体１に取り付けられるピアノハンドル４３は、上側の２個の軸受部１９１にスイッチ本体１の軸部１９２をはめ込んで取り付ける。つまり、下端位置についてはスイッチ本体１の上下方向の中心よりもピアノハンドル４３の上下方向の中心が下にずれて位置することになり、ピアノハンドル４３の抜止片４３ａはスイッチ本体１の下の挿入孔５４に挿入される。なお、ネームカバー２５３を特に必要としない品種では図７３および図７４に示すようなピアノハンドル４３を採用してもよい。
【００７８】
以上の説明からわかるように、取付枠２に３個のスイッチ本体１を取り付ける場合には、上端位置と下端位置とにおいて、スイッチ本体１の上下方向の中心がピアノハンドル４３の上下方向の中心に一致しない。そこで、３個用のピアノハンドル４３では、図６５および図７１および図７２のように、１個用や２個用のピアノハンドル４３で用いたレンズ１１３の代わりに透光材料よりなる表示部１４０を用いて、表示部１４０の背面側に光学的に結合されるプリズム２００を設けてある。
【００７９】
プリズム２００は、図６９および図７２に示すようにピアノハンドル４３の背面側で表示窓１１２よりも上下方向に広がる形状に形成され、出射面２０１が三角波状をした凹凸形状となっている。凹凸形状となった出射面２０１の背方側から上下両側方に向けて側方突出プリズム部２０７が設けてあり、この側方突出プリズム部２０７は背面部に取付枠２の上端位置に取り付けられたスイッチ本体１又は下端位置に取り付けられたスイッチ本体１からの光を入射する入射面２０３を設け、入射面２０３から内部に入った光を側方突出プリズム部２０７内の第１の反射面２０４と、第２の反射面２０５で反射させて出射面２０１から出射させようになっている。また凹凸形状の出射面２０１の背方には取付枠２の中央位置に取り付けられたスイッチ本体１からの光が入射する凹部からなる入射面２０２を設けてあり、この入射面２０２の凹部の両側内壁面が傾斜して出射面２０１の背方に一端が至って非対称となっており、その傾斜面がプリズム２００内に導光された光の第２の反射面２０５となっている。
【００８０】
上記の構成のプリズム２００は３個用のピアノハンドル４３の背面側に出射面２０１が、３個用のピアノハンドル４３に設けた表示部１４０に対向するように超音波溶着により取り付けてある。ここで、本実施形態の表示部１４０は光透過性樹脂により形成され、ピアノハンドル４３の表示窓１１２にピアノハンドル４３の裏面側から被着されているもので、ピアノハンドル４３の表示窓１１２に嵌合する嵌合部１４０ａと、その嵌合部１４０ａの裏面側両端部から突設され下向きの傾斜面を有する側部１４０ｂとを備え、図７２に示すように側部１４０ｂの先端部分が窓孔２５２の裏面側周縁に係止され、ピアノハンドル４３とプリズム２００によって挟持固定される。すなわち、表示部１４０とプリズム２００は何れもピアノハンドル４３の裏面側から取り付けることができるから、組立作業が簡素化できるものである。なお、表示部１４０の側部１４０ｂに形成された下向き傾斜面によりプリズム２００の非対称の第２の反射面２０３と併せて上向き方向の視野角を上げて見や易くしてある。
【００８１】
しかして、取付枠２の中央位置のスイッチ本体１に取り付けた３個用のピアノハンドル４３においては、入射面２０２が当該スイッチ本体１の透光窓４０に対向し、また、上端位置のスイッチ本体１に取り付けられた３個用のピアノハンドル４３においては下側の側方突出プリズム部２０７の入射面２０３が当該スイッチ本体１の透光窓４０に対向し、また、下端位置のスイッチ本体１に取り付けられた３個用のピアノハンドル４３においては上側の側方突出プリズム部２０７の入射面２０３が当該スイッチ本体１の透光窓４０に対向するものである。
【００８２】
そして、上端位置あるいは下端位置のスイッチ本体１の透光窓４０から出射された位置表示灯Ｌ１の光は、入射面２０３から側方プリズム部２０７に入射し、側方突出プリズム部２０７内で反射して凹凸形状の出射面２０１から表示部１４０に向けて出射するのである。また、中央位置のスイッチ本体１の透光窓４０から出射された光は入射面２０２から入射し、凹凸形状の出射面２０１から表示部１４０に向けて出射するのである。この場合、出射面２０１を三角波状の凹凸形状とすることで、出射面２０１から出射する光の出射を偏りを無くしてほぼ同じ方向にすることができる。そして下端位置のスイッチ本体１の透光窓４０から出た光は対応するプリズム２００の非対称の第２の反射面２０３と、表示部１４０の入射面である側部１４０ｂの下向き傾斜面とで上向き方向の視野角が上げられ上方向からの視認性が良くなっているため、良く見えることになる。
【００８３】
ところで、上述した取付枠２（図２２参照）は壁面のような施工面に対して３種類の取付方法が選択可能となるように構成してある。図７５および図７６に示す例は、コンクリート壁などに施工する場合であって、壁Ｗに埋込配設された埋込ボックス１５０に取り付ける例を示している。取付枠２の上片および下片にはそれぞれ埋込ボックス１５０の開口側に設けた取付舌片１５１に螺合するボックスねじを挿通するための長孔２ｃが形成されている。また、施工面が木質壁などの場合には施工面に螺入するねじを用いて取付枠２を直付けする場合があるから、直付け用のねじを挿通するためのねじ挿通孔２ｄも上片と下片とに形成されている。さらに、上片および下片には、施工面が石膏ボードのようなパネル材であるときに使用するはさみ金具（図示せず）の一端部を係止するはさみ金具取付孔２ｅと、プレート枠１２０を取り付ける取付ねじ１２３を螺合させる取付ねじ孔２ｆとが設けてある。
【００８４】
取付枠２の前面側に取付ねじ１２３によって取り付けられるプレート枠１２０は、図８１ないし図８４に示すように、ＡＢＳ樹脂のような合成樹脂によって矩形枠状に形成された成形品であって、上片と下片とにそれぞれ取付ねじ１２３が挿通されるねじ挿通孔１２１が設けてある。また、プレート枠１２０の左片および右片にはそれぞれ化粧プレート１３０の係止片１３１が挿入係止される係止孔１２２がそれぞれ３個ずつ設けてある。さらに、プレート枠１２０の四隅には金属製の簡易耐火プレート（図示せず）を取り付けるためのプレート保持孔１２５も設けられている。プレート枠１２０の周部には全周に亘って段部１２４が形成される。
【００８５】
プレート枠１２０に結合される化粧プレート１３０は、図８５ないし図８８に示すように、プレート枠１２０と同様にＡＢＳ樹脂のような合成樹脂によって矩形枠状に形成される。また、化粧プレート１３０の裏面にはプレート枠１２０に結合するための係止片１３１が６本突設されている。化粧プレート１３０は前壁の外周縁から後方に向かって延設された周壁１３２を備え、図７７ないし図８０に示すように、プレート枠１２０に化粧プレート１３０を重ね合わせたときに周壁１３２の後縁がプレート枠１２０の段部１２４の前面に載るようにしてある。なお、プレート枠１２０および化粧プレート１３０はともに角部に丸みがほとんどなく、アール部分を形成する場合に比較すると金型の製造が容易になっている。
【００８６】
スイッチ本体１を取り付けた取付枠２に取付ねじ１２３によってプレート枠１２０を取り付け、さらに化粧プレート１３０をプレート枠１２０に結合するとともに、スイッチ本体１にピアノハンドル４３を取り付けると、プレート枠１２０および化粧プレート１３０の中央部の開口窓１２０ａ，１３０ａを通してピアノハンドル４３の一部をプレートの前方に突出させることができ、この状態でピアノハンドル４３を押操作することができることになる。また、化粧プレート１３０はプレート枠１２０に対して係止片１３１によって係合しているだけであるから、プレート枠１２０の下端部に設けた外し溝１２６にマイナスドライバのような工具の先端部を挿入し、プレート枠１２０から化粧プレート１３０を引き離すように力を作用させれば、化粧プレート１３０をプレート枠１２０から外すことができる。したがって、化粧プレート１３０を取り付けた状態では表面に取付ねじ１２３が露出しないようにして優れた外観に仕上げながらも、メンテナンス時には化粧プレート１３０を比較的容易に取り外すことができる。
【００８７】
（実施形態２）
実施形態１では、位置表示灯Ｌ１を設けていたが、用途によっては位置表示灯Ｌ１は必ずしも設けなくてもよい。つまり、位置表示灯Ｌ１が不要な場合には、表示ブロックＢ１、透孔窓４０、ランプカバー４１を省略したスイッチ本体１を採用し、またピアノハンドル４３においても表示窓１１２およびレンズ１１３、プリズム２００、表示部１４０などを省略するのである。このように、位置表示灯Ｌ１に関連する部材を実施形態１から省略すれば、部品点数が少なくなり、第１の実施の形態よりも低コストで提供することができる。要するに、用途によっては低価格のスイッチを利用することができる。
【００８８】
この構成のスイッチ本体１を図８９ないし図９７に示す。スイッチ本体１については、実施形態１に示した構成から表示ブロックＢ１、透孔窓４０、ランプカバー４１を省略したものであって、カバー５ａのみ異なる部材を用いれば、他の部材は実施形態１と共通の部材を用いることができる。
【００８９】
しかして、本実施形態では、図９８および図９９に示すような１個用のピアノハンドル４３、図１００および図１０１に示すような２個用のピアノハンドル４３、図１０２および図１０３に示すような３個用のピアノハンドル４３を採用することができる。また、本実施形態においてもピアノハンドル４３の化粧ライン１１５を実施形態１と同様にレーザビームの照射により形成しているので、ネームカバー２５３が不要な品種については、図１０４および図１０５に示すような１個用のピアノハンドル４３、図１０６および図１０７に示すような２個用のピアノハンドル４３、図１０８および図１０９に示すような３個用のピアノハンドル４３を採用することができる。他の構成および動作は実施形態１と同様であるから説明を省略する。  （実施形態３）
本実施形態は、実施形態１とはスイッチ本体１における接点部１００の構成が異なる。
【００９０】
以下では、まずスイッチ本体１について図１１０ないし図１１８を用いて説明するが、実施形態１と同様の構成要素には同一の符号を付して説明を省略する。
【００９１】
本実施形態では、ボディ５ｂの内部空間は長手方向において３室に区画され、両側の区画は端子が収納される端子収納室１３，１４となり、中央の区画は端子収納室１３，１４よりも深く形成されスイッチ機構部が収納される中央収納室２３となる。端子収納室１３には端子板１５と２個の鎖錠ばね１６と解除釦１７とからなる端子が収納され、端子収納室１４には２個の端子板１８，２０と各端子板１８，２０ごとに設けた２個の鎖錠ばね１９と解除釦２１とからなる２個の端子が収納される。また、端子収納室１３，１４に対応するボディ５ｂの後壁には、図１１４、図１１６に示すように、各一対の電線挿入口１３ａ，１４ａが貫設され、各一対の電線挿入口１３ａ，１４ａの近傍にはそれぞれ１個ずつの解除孔１３ｂ，１４ｂが貫設される。
【００９２】
鎖錠ばね１６，１９は、弾性を有する導電性金属の帯板の両端部をそれぞれ曲成することにより、中央片１６ｃ，１９ｃの両端部に鎖錠片１６ａ，１９ａと接触片１６ｂ，１９ｂとをそれぞれ形成したものである。鎖錠片１６ａ，１９ａはＪ字状に曲成され、中央片１６ｃ，１９ｃとの連結部位から先端に向かって中央片１６ｃ，１９ｃとの距離を広げるように傾斜する。また、接触片１６ｂ，１９ｂはＳ字状に曲成され、中央片１６ｃ，１９ｃの厚み方向に弾性を有している。
【００９３】
一方、各端子板１５，１８，２０は、それぞれ前片１５ａ，１８ａ，２０ａと、前片１５ａ，１８ａ，２０ａの後方に位置して互いに対向する押さえ片１５ｂ，１８ｂ，２０ｂおよび当接片１５ｃ，１８ｃ，２０ｃとを備える。鎖錠ばね１６，１９の中央片１６ｃ，１９ｃは平板状であり、端子板１５，１８，２０の当接片１５ｃ，１８ｃ，２０ｃにそれぞれ当接し、鎖錠片１６ａ，１９ａおよび接触片１６ｂ，１９ｂを押さえ片１５ｂ，１８ｂ，２０ｂにそれぞれ対向させる。端子板１５，１８，２０および鎖錠ばね１６，１９と電線挿入口１３ａ，１４ａとの位置関係は、上述した電線挿入口１３ａ，１４ａから器体５に導入される電線が鎖錠ばね１６，１９の鎖錠片１６ａ，１９ａおよび接触片１６ｂ，１９ｂと端子板１５，１８，２０の押さえ片１５ｂ，１８ｂ，２０ｂとの間にそれぞれ挿入されるように設定されている。したがって、器体５に電線が挿入されると、鎖錠片１６ａ，１９ａおよび接触片１６ｂ，１９ｂと端子板１５，１８，２０の押さえ片１５ｂ，１８ｂ，２０ｂとの間で電線が挟持され、鎖錠片１６ａ，１９ａの先端が電線の芯線に食い込んで抜止がなされるとともに、鎖錠片１６ａ，１９ａおよび接触片１６ｂ，１９ｂによって電線の芯線と端子板１５，１８，２０との電気的接続がなされる。鎖錠ばね１６，１９のばね力を利用して端子ねじを用いることなく電線を接続することができるこの種の構造の端子は速結端子と呼ばれている。速結端子において電線の機械的接続状態および電気的接続状態として所要の性能を得るには、電線挿入口１３ａ，１４ａへの電線の挿入量を一定にする必要がある。そこで、電線の絶縁被覆を剥く量が一定であるか否かを簡単に確認することができるように、ボディ５ｂの後面にはゲージ溝２２が形成されている。絶縁被覆を剥くときには電線の端部をゲージ溝２２に合わせて絶縁被覆を剥く量を確認すればよい。
【００９４】
解除釦１７，２１はユリア樹脂のような熱硬化性樹脂を用いて形成され、後部を解除孔１３ｂ，１４ｂに臨ませる形でボディ５ｂの各端子収納室１３，１４にそれぞれ収納される。解除釦１７，２１の一部は鎖錠ばね１６，１９の鎖錠片１６ａ，１９ａに接触可能であって、解除孔１３ｂ，１４ｂを通してマイナスドライバのような工具の先端部で解除釦１７，２１を押操作すれば、鎖錠片１６ａ，１９ａを端子板１５，１８，２０の押さえ片１５ｂ，１８ｂ，２０ｂから引き離して電線の保持力を弱め、この状態で電線を引き抜くことができる。ここに、解除釦１７は端子板１５に対応する一対の鎖錠ばね１６に跨るように配置され、解除釦２１は端子板１８に対応する鎖錠ばね１９と端子板２０に対応する鎖錠ばね１９とに跨るように配置される。つまり、各解除釦２１は２個ずつの鎖錠ばね１６，１９の鎖錠片１６ａ，１９ａを同時に押すことができるようになっている。
【００９５】
端子収納室１４に収納される一方の端子板１８には、中央収納室２３に挿入される接点保持片１８ｄが一体に形成してあり、接点保持片１８ｄの先端部には中央収納室２３内で固定接点２５ａが設けられる。また、端子収納室１４に収納される他方の端子板２０には、端子板１８に設けた接点保持片１８ｄに対向する部位まで延長されたＬ字状の接点保持片２０ｄを備え、接点保持片２０ｄにおいて中央収納室２３に挿入されている部位には、端子板１８に設けた固定接点２５ａに対向する固定接点２５ｂが設けられている。
【００９６】
中央収納室２３の底部には図示しないリブが形成され、リブ上には合成樹脂成形品の中枠５７が載置される。この中枠５７によって中央収納室２３は前後に仕切られる。中央収納室２３において中枠５７の後部側には電流トランスＣＴ１が収納され、電流トランスＣＴ１からは１次側および２次側のリード線Ｓ１〜Ｓ４が引き出されている。リード線Ｓ１〜Ｓ４には絶縁材料よりなる可撓性を有した保護チューブＴが装着され、中枠５７に設けた隙間５７ａを通してリード線Ｓ１〜Ｓ４が中枠５７の前方に引き出される。中枠５７の前面には支持板１５ｅが載置される。支持板１５ｅには電流トランスＣＴ１の１次側の一方のリード線Ｓ１が接続され、１次側の他方のリード線Ｓ２は端子板１５に接続される。電流トランスＣＴ１の２次側のリード線Ｓ３，Ｓ４は表示ブロックＢ６に接続される。
【００９７】
表示ブロックＢ６はＴ字状に形成されたプリント基板６６を備える。プリント基板６６には、ネオンランプからなる位置表示灯Ｌ１と、発光ダイオードからなるパイロット灯Ｌ３と、パイロット灯Ｌ３とは逆並列に接続されるダイオードＤ１と、位置表示灯Ｌ１に直列接続されるチップ抵抗である抵抗Ｒ２と、位置表示灯Ｌ１と抵抗Ｒ２との直列回路に並列接続したチップ抵抗である抵抗Ｒ３とが実装される。また、プリント基板６６の後面には導電板からなる一対の接触子６７ａ，６７ｂも半田接続される。電流トランスＣＴ１の２次側のリード線Ｓ３，Ｓ４の間にはパイロット灯Ｌ３とダイオードＤ１との並列回路が接続される。また、接触子６７ａ，６７ｂは端子板１８，２０の前片１８ａ，２０ａにそれぞれ接触するように配置される。
【００９８】
ところで、中枠５７に載置された支持板１５ｅには平板状の導電板からなる開閉子２４の後端縁が当接する。開閉子２４は中枠５７に設けた支持台５７ｂとボディ５ｂの内周面との間に配置され、支持台５７ｂとボディ５ｂとの対向面に設けた前端側が広いＶ字状の位置規制凹部２７に、開閉子２４の後部両側縁に突設された一対の突部２８がそれぞれ挿入される。したがって、開閉子２４は支持板１５ｅに後端縁が接触した状態で後縁を中心として位置規制凹部２７の範囲内で回動可能になる。また、開閉子２４は両接点保持片１８ｄ，２０ｄの間に配置され、開閉子２４の両面には接点保持片１８ｄに設けた固定接点２５ａおよび接点保持片２０ｄに設けた固定接点２５ｂとともに接点部１００を構成する可動接点２９がそれぞれ設けられる。つまり、開閉子２４が回動することにより、可動接点２９が両固定接点２５ａ，２５ｂの一方に選択的に接触し、端子板１５を端子板１８に電気的に接続する状態と、端子板１５を端子板２０に電気的に接続する状態とが選択される。
【００９９】
上述のように、端子収納室１３に収納された一対の鎖錠ばね１６は１つの端子板１５に対応して配置されているから、端子板１５に接続される一対の電線は端子板１５を介して互いに電気的に接続される。つまり、接点部１００の開閉によって端子収納室１３に収納された端子板１５に対応する２個の鎖錠ばね１６の一方を送り配線用の端子として用いることができる。
【０１００】
ここにおいて、本実施形態ではボディ５ｂの前端の開口面よりも端子板１５，１８，２０の前片１５ａ，１８ａ，２０ａのほうが前方に突出するように端子板１５，１８，２０を配置してあり、端子板１５，１８，２０への電線の挿入量は従来構成と同寸法を確保しながらも、ボディ５ｂの前後方向の寸法を従来構成よりも小さくしている。また、カバー５ａについては前後方向の寸法を従来構成と同程度としているが、端子板１５，１８，２０がカバー５ａ側に浮き上がらないようにするために、カバー５ａの内周面には端子板１５，１８，２０の前片１５ａ，１８ａ，２０ａに当接する押さえ用ボス５３が形成されている。このような構成によって、電線挿入口１３ａ，１４ａの近傍における器体５の前後方向の寸法は従来構成よりも小さくなる。ただし、ボディ５ｂの後面の中央部は電線挿入口１３ａ，１４ａを設けている両端部よりも後方に突出する突出部７を形成している。
【０１０１】
上述した表示ブロックＢ６は、カバー５ａの長手方向の一端部に形成した後面開口する収納凹所５５に収納される。表示ブロックＢ６が収納凹所５５に収納されるようにしてカバー５ａをボディ５ｂに結合すれば、接触子６７ａの先端部が端子板１８の前片１８ａに弾接し、接触子６７ｂの先端部が端子板２０の前片２０ａに弾接する。つまり、抵抗Ｒ２と位置表示灯Ｌ１との直列回路に抵抗Ｒ３を並列接続した回路が両端子板１５，１８の間に挿入されることになる。したがって、スイッチ本体１の内部回路を図示すれば図１１９のようになる。本実施形態では上述のように、可動接点２９を２つの固定接点２５ａ，２５ｂに選択的に接触させる３路スイッチとなる接点部１００を構成し、可動接点２９と端子板１５との間に電流トランスＣＴ１の１次側が挿入され、２つの固定接点２５ａ，２５ｂの間に位置表示灯Ｌ１を含む回路が挿入されることになる。したがって、３路スイッチである接点部１００の状態に応じて負荷への電源を入切するとすれば、負荷がオフであるときに２つの固定接点２５ａ，２５ｂの間に電圧が印加されて位置表示灯Ｌ１が点灯し、負荷として照明負荷を用いるとすれば、照明負荷が消灯しているときには位置表示灯Ｌ１が点灯することによって、暗がりでもスイッチの位置を容易に確認することができる。また、負荷がオンであるときには電流トランスＣＴ１の１次側に電流が流れるからパイロット灯Ｌ３が点灯して負荷がオンであることを示すことになる。
【０１０２】
カバー５ａにおいて収納凹所５５に対応する部位の前壁には、収納凹所５５に連通する透孔窓４０が形成され、透孔窓４０には透光性を有したランプカバー４１が取り付けられる。したがって、位置表示灯Ｌ１およびパイロット灯Ｌ３の点灯・消灯の状態はランプカバー４１を通して視認することができる。
【０１０３】
ボディ５ｂの後面や側面の適宜部位には接点部１００の構成、型式を示す記号、定格容量などを示す表記５６が設けられている。この表記５６はボディ５ｂを形成する材料に珪素含有無機化合物または珪素を含有するピグメントを混入しておき、表記５６のパターンが得られるようにレーザビームを照射することで発色させてある。このような表記５６を形成する際には、適切に選択したピグメントにより着色した材料を用いることで、比較的低強度のレーザビームを用いながらも明確なコントラストを与えることができる。
【０１０４】
ところで、接点部１００は開閉子２４を回動させるために設けた反転ばね３０、反転ハンドル３１、押釦ハンドル３２、スライドカム３３、復帰ばね３７とともにスイッチ機構部を構成する。
【０１０５】
以下に、上記スイッチ本体１の動作を簡単に説明する。図１２０は可動接点２９が固定接点２５ａに接触している状態を示しており、反転ハンドル３１は図の右側に倒れている。このときスライドカム３３はばね片３３ａにより移動範囲の中央位置に位置している。この状態からピアノハンドル４３（図１２０では図示を省略している）に押力を作用させると、押釦ハンドル３２が復帰ばね３７に抗して器体５に押し込まれ、押釦ハンドル３２とともにスライドカム３３が図１２０の下向きに移動する。このときスライドカム３３の図中左側の掛合カム体３８が反転ハンドル３１の左側の掛合突起３４に当接して反転ハンドル３１の左端部を押すから、反転ハンドル３１が支点突起３１ｂの前端を中心として左回りに回転する。スライドカム３３の左側の掛合カム体３８は反転ハンドル３１の左側の掛合突起３４よりも左側に位置しており、反転ハンドル３１が回転するのに伴ってスライドカム３３が左方に押されて図１２１に示すようにスライドカム３３が図中の左側にスライドする。こうして図１２２のように反転ハンドル３１が図の左側に倒れるようになり、反転ばね３０が反転して開閉子２４が反転し、可動接点２９が固定接点２５ａから切り離され固定接点２５ｂに接触する状態に反転する。その後、ピアノハンドル４３に作用させた押力を解除すると、図１２３のように復帰ばね３７のばね力により押釦ハンドル３２が押し戻され、押釦ハンドル３２に当接しているピアノハンドル４３も元の位置に復帰する。また同時に、スライドカム３３もばね片３３ａのばね力でスライドして中央位置に復帰する。
【０１０６】
こうして、可動接点２９が固定接点２５ｂに接触した状態となっているときにピアノハンドル４３に再び押力を作用させると、上述の動作と同様にして反転ハンドル３１を回転させることができる。ただし、可動接点２９が固定接点２５ｂに接触している状態では、反転ハンドル３１の右側の掛合突起３４がスライドカム３３の右側の掛合カム体３８に当接するから、反転ハンドル３１は右回りに回転し、反転ばね３０を介して可動接点２９を固定接点２５ｂから引き離すことになる。こうして接点部１００を反転させた後にピアノハンドル４３から押力を解除すれば、図１２０に示す状態に戻る。要するに、本実施形態ではピアノハンドル４３の押操作毎に接点部１００が開閉されるのである。すなわち、スライドカム３３と反転ハンドル３１の掛合突起３４と復帰ばね３７とによって、押釦ハンドル３２の押操作を反転ハンドル３１の揺動に変換する変換機構部が構成される。
【０１０７】
取付枠２の窓孔２ａにスイッチ本体１を１個だけ取り付ける場合の状態を図１２４ないし図１３１に示す。なお、図１２４ないし図１３１におけるスイッチ本体１には、実施形態１で説明した１個用のピアノハンドル４３が取りつけられている。
【０１０８】
また、取付枠２の窓孔２ａに２個のスイッチ本体１を取り付ける場合には、図１３２ないし図１３８に示すように、上端位置と下端位置とにそれぞれスイッチ本体１を取り付け、各スイッチ本体１に実施形態１で説明した２個用のピアノハンドル４３をそれぞれ取り付ける。
【０１０９】
取付枠２の窓孔２ａに３個のスイッチ本体１を取り付ける場合には、図１３９ないし図１４６に示すように、上端位置と中央位置と下端位置とにそれぞれスイッチ本体１を取り付け、各スイッチ本体１に実施形態１で説明した３個用のピアノハンドル４３をそれぞれ取り付ける。
【０１１０】
【発明の効果】
請求項１の発明は、押釦ハンドルが押し込まれたときに、この押釦ハンドルの押し込み動作にともなって反転ハンドルを反転回動させ、この反転ハンドルの反転回動に応じて接点部の切り換えを行うようにした押釦スイッチと、該押釦スイッチの前面側に軸支部により回動自在に取り付けられて前記押釦ハンドルをピアノタッチ操作で押圧するピアノハンドルとを備え、前記ピアノハンドルは、レーザビームを照射することにより発色させた飾色部が前面に設けられてなるものであり、ピアノハンドルの前面にレーザビームを照射することにより発色させた飾色部が設けられているので、従来のようにインモールド転写によりピアノハンドルの前面に飾色部を形成する必要がなく、転写用フィルムが不要になるとともに成形に伴うコストの削減を図ることができ、また、レーザビームを照射することにより発色させて形成される飾色部は、インモールド転写により形成される飾色部の位置精度に比べて精度が高いので良品率が高くなるから、製造コストを低減でき、低コスト化を図ることができるという効果がある。しかも、飾色部をネームカバーと独立してピアノハンドルの前面に設けることができるから、従来のようにネームカバーに飾色部を設ける必要がなく、ピアノハンドルの大きさやベース色などにより区別されるピアノハンドルの品種に関わらず共通のネームカバーを使用可能となるので、ネームカバーの共通化が図れコストを低減できるという効果がある。また、飾色部がインモールド転写により形成されている場合に比べて、飾色部の耐久性が高くなるという効果がある。
また、請求項１の発明は、前記ピアノハンドルの前面に設けられ透明性材料からなるネームカバーと、前記ピアノハンドルの後面側に開閉自在に設けられて前記ネームカバーとの間でネームカードを保持する裏蓋とを備えるので、ネームカバーおよび裏蓋を前記ピアノハンドルの後面側から取り付けることが可能となり、組立作業を簡素化することができるという効果がある。
また、請求項１の発明は、前記ネームカバーは、前記ピアノハンドルに貫設された窓孔に嵌入されるネームカバー本体と、前記ピアノハンドルの後面側で前記窓孔の開口周部に超音波溶着される固定部とを備えるので、ピアノハンドルへのネームカバーの接合強度を高めることができるという効果がある。
【０１１１】
請求項２の発明は、請求項１の発明において、前記飾色部は、レーザービームを照射することにより炭化反応させることで発色させてあるので、前記飾色部に起因したピアノハンドルの面粗さを小さくすることができ、操作感触を良好にすることができるという効果がある。また、前記飾色部の所望の色品質を実現することが可能となるという効果がある。
【０１１２】
請求項３の発明は、請求項１または請求項２の発明において、前記飾色部はピアノハンドルの前面においてストライプ状に形成された複数の化粧ラインであって、各化粧ラインそれぞれは、レーザビームを照射することにより形成された複数本の平行なラインにより構成されているので、１つの化粧ラインを１本のラインで構成する場合に比べてレーザビームのパワーを低減させることが可能で、ピアノハンドルの前面の化粧ラインに起因した面粗さを小さくすることが可能になり、ピアノハンドルの操作感触を良好にすることができるという効果がある。
【０１１４】
請求項４の発明は、請求項１ないし請求項３の発明において、前記ネームカバーと前記裏蓋と前記ネームカードとを１ブロック化してなるので、組立作業を簡素化することが可能になるという効果がある。
【０１１５】
請求項５の発明は、請求項１ないし請求項４の発明において、前記ネームカバーは、前記ネームカードが当接する面に曲率が設けられてなるので、静電気によりネームカードがネームカバーに付着するのを防ぐことができ、ネームカードの取り替えが容易になるという効果がある。
【０１１６】
請求項６の発明は、請求項１ないし請求項５の発明において、前記ネームカバーは、前記ネームカードが当接する面にネームカードの密着を防ぐ密着防止突起が突設されてなるので、静電気によりネームカードがネームカバーに付着するのを防ぐことができ、ネームカードの取り替えが容易になるという効果がある。
【０１１８】
請求項７の発明は、請求項１ないし請求項６の発明において、前記ピアノハンドルは、当該ピアノハンドルの操作にともなって前記押釦ハンドルを押操作するスイッチ操作リブが一体に突設されてなるので、ピアノハンドルを押操作すればピアノハンドルから一体に突設されたスイッチ操作リブによって押釦ハンドルが押し込まれるから、スイッチ操作リブを別部材に設けて当該別部材をピアノハンドルに組み付ける場合に比べて、ピアノハンドルに対する操作用リブの位置精度が高くなるとともに、組立誤差が抑えられるという効果がある。
【０１１９】
請求項８の発明は、請求項１ないし請求項７の発明において、前記ピアノハンドルは、前面において前記軸支部とは反対側に当該ピアノハンドルの操作側を示す指示突起が突設されてなるので、ピアノハンドルに押力を作用させるべき端部が指示突起側であることが明確に示され、また、手触りでも分かるようになる。
【０１２０】
請求項９の発明は、請求項１ないし請求項８の発明において、規格化された埋込型の配線器具の１個モジュール寸法に形成された前記押釦スイッチを一方向に３個並べて取り付けることのできる取付窓を有した３個モジュール寸法の取付枠に当該１個モジュール寸法の押釦スイッチを上記一方向に３個並べて取り付け、前記取付窓よりも大きく且つ前記３個の押釦スイッチの前面を露出する開口窓を有したプレートを前記取付枠の前面に取着したときに各押釦スイッチに取り付けられる前記ピアノハンドルの寸法を前記開口窓を長手方向に略３等分した寸法としたので、押釦スイッチを３個用いる場合にも押釦スイッチを１個または２個用いる場合と共通仕様の取付窓を有する取付枠、プレートが使用できて部品の共通化が図れるという効果がある。
【０１２１】
請求項１０の発明は、請求項１ないし請求項８の発明において、規格化された埋込型の配線器具の１個モジュール寸法に形成された前記押釦スイッチを一方向に３個並べて取り付けることのできる取付窓を有した３個モジュール寸法の取付枠に当該１個モジュール寸法の押釦スイッチを上記一方向に２個並べて取り付け、前記取付窓よりも大きく且つ前記２個の押釦スイッチの前面を露出する開口窓を有したプレートを前記取付枠の前面に取着したときに各押釦スイッチに取り付けられる前記ピアノハンドルの寸法を前記開口窓を長手方向に略２等分した寸法としたので、押釦スイッチを２個用いる場合にも押釦スイッチを１個または３個用いる場合と共通仕様の取付窓を有する取付枠、プレートが使用できて部品の共通化が図れるという効果がある。
【０１２２】
請求項１１の発明は、請求項１ないし請求項８の発明において、規格化された埋込型の配線器具の１個モジュール寸法に形成された前記押釦スイッチを一方向に３個並べて取り付けることのできる取付窓を有した３個モジュール寸法の取付枠に当該１個モジュール寸法の押釦スイッチを上記一方向における略中央に１個取り付け、前記取付窓よりも大きく且つ前記１個の押釦スイッチの前面を露出する開口窓を有したプレートを前記取付枠の前面に取着したときに押釦スイッチに取り付けられる前記ピアノハンドルの寸法を前記開口窓の長手方向の寸法に略等しい寸法としたので、押釦スイッチを１個用いる場合にも押釦スイッチを２個または３個用いる場合と共通仕様の取付窓を有する取付枠、プレートが使用できて部品の共通化が図れるという効果がある。
【０１２３】
請求項１２の発明は、請求項１ないし請求項１１の発明において、前記押釦スイッチに前記接点部の状態に応じて発光する発光手段を具備し、前記ピアノハンドルに取り付けられて前記発光手段の光を前記ピアノハンドルの前面側へ導く導光部材を備え、該導光部材には、前記光を拡散させるシボ加工が施されてなるので、前記ピアノハンドルの前面側で導光部材の前面を均一に光らせることができ、発光手段の発光の有無に関する視認角度が向上するという効果がある。
【０１２４】
請求項１３の発明は、請求項９の発明において、前記押釦スイッチに前記接点部の状態に応じて発光する発光手段を具備し、前記ピアノハンドルに取り付けられて前記発光手段の光を前記ピアノハンドルの前面側へ導くプリズムと、前記プリズムの前面側に配設され表示を行う発光表示部とを備え、該プリズムは、前記ピアノハンドルの後面側で発光表示部の一部を挟み込んだ形で前記ピアノハンドルの後面側に超音波溶着されてなるので、発光手段と発光表示部との位置がずれていても前記発光手段の光を前記ピアノハンドルの前面側へ確実に導くことができ、また、ピアノハンドルへの前記プリズムの接合強度を高めることができるという効果がある。
【図面の簡単な説明】
【図１】本発明のピアノハンドルの概略正面図である。
【図２】同上の他のピアノハンドルの概略正面図である。
【図３】同上の製造方法の説明図である。
【図４】同上の製造方法の説明図である。
【図５】同上の化粧ラインの構成例の説明図である。
【図６】同上の化粧ラインの他の構成例の説明図である。
【図７】本発明の実施形態１を示すスイッチ本体の分解斜視図である。
【図８】同上のスイッチ本体を示す斜視図である。
【図９】同上のスイッチ本体を示す正面図である。
【図１０】同上のスイッチ本体を示す下面図である。
【図１１】同上のスイッチ本体を示す背面図である。
【図１２】同上のスイッチ本体を示す側面図である。
【図１３】同上のスイッチ本体を示す断面図である。
【図１４】同上のスイッチ本体においてカバーを外した状態の正面図である。
【図１５】同上のスイッチ本体においてボディを外した状態の背面図である。
【図１６】同上の内部回路を示す回路図である。
【図１７】同上の軸部近傍を示し、（ａ）はピアノハンドル取付前の断面図、（ｂ）はピアノハンドル取付後の断面図である。
【図１８】同上の動作説明図である。
【図１９】同上の動作説明図である。
【図２０】同上の動作説明図である。
【図２１】同上の動作説明図である。
【図２２】同上で１個用のピアノハンドルを用いる使用形態での分解斜視図である。
【図２３】同上で１個用のピアノハンドルを用いる使用形態での正面図である。
【図２４】同上で１個用のピアノハンドルを用いる使用形態での左側面図である。
【図２５】同上で１個用のピアノハンドルを用いる使用形態での右側面図である。
【図２６】同上で１個用のピアノハンドルを用いる使用形態での背面図である。
【図２７】同上で１個用のピアノハンドルを用いる使用形態での上面図である。
【図２８】同上で１個用のピアノハンドルを用いる使用形態での下面図である。
【図２９】図２３におけるＡ−Ａ線断面図である。
【図３０】図２３におけるＢ−Ｂ線断面図である。
【図３１】同上に用いるピアノハンドルを示す正面図である。
【図３２】図３１におけるＣ−Ｃ線断面図である。
【図３３】同上に用いる１個用のピアノハンドルの斜視図である。
【図３４】同上に用いる１個用のピアノハンドルの分解斜視図である。
【図３５】同上に用いる１個用のピアノハンドルの背面側から見た斜視図である。
【図３６】同上に用いる１個用のピアノハンドルの背面側から見た分解斜視図である。
【図３７】同上に用いる１個用のピアノハンドルの背面側から見た斜視図である。
【図３８】同上に用いる１個用のピアノハンドルの断面図である。
【図３９】同上におけるネームカバー、扉、ネームカードの分解斜視図である。
【図４０】同上におけるネームカバーを示し、（ａ）は背面図、（ｂ）は断面図である。
【図４１】同上に用いる１個用のピアノハンドルの斜視図である。
【図４２】同上に用いる１個用のピアノハンドルの分解斜視図である。
【図４３】同上で２個用のピアノハンドルを用いる使用形態での分解斜視図である。
【図４４】同上で２個用のピアノハンドルを用いる使用形態での正面図である。
【図４５】同上で２個用のピアノハンドルを用いる使用形態での左側面図である。
【図４６】同上で２個用のピアノハンドルを用いる使用形態での右側面図である。
【図４７】同上で２個用のピアノハンドルを用いる使用形態での背面図である。
【図４８】同上で２個用のピアノハンドルを用いる使用形態での上面図である。
【図４９】同上で２個用のピアノハンドルを用いる使用形態での下面図である。
【図５０】図４４におけるＢ−Ｂ線断面図である。
【図５１】同上に用いる２個用のピアノハンドルを示す正面図である。
【図５２】図５１におけるＣ−Ｃ線断面図である。
【図５３】同上に用いる２個用のピアノハンドルの斜視図である。
【図５４】同上に用いる２個用のピアノハンドルの分解斜視図である。
【図５５】同上に用いる２個用のピアノハンドルの斜視図である。
【図５６】同上に用いる２個用のピアノハンドルの分解斜視図である。
【図５７】同上で３個用のピアノハンドルを用いる使用形態での分解斜視図である。
【図５８】同上で３個用のピアノハンドルを用いる使用形態での正面図である。
【図５９】同上で３個用のピアノハンドルを用いる使用形態での左側面図である。
【図６０】同上で３個用のピアノハンドルを用いる使用形態での右側面図である。
【図６１】同上で３個用のピアノハンドルを用いる使用形態での背面図である。
【図６２】同上で３個用のピアノハンドルを用いる使用形態での上面図である。
【図６３】同上で３個用のピアノハンドルを用いる使用形態での下面図である。
【図６４】図５８におけるＡ−Ａ線断面図である。
【図６５】図５８におけるＢ−Ｂ線断面図である。
【図６６】同上に用いる３個用のピアノハンドルを示す正面図である。
【図６７】図６６におけるＣ−Ｃ線断面図である。
【図６８】同上に用いる３個用のピアノハンドルの斜視図である。
【図６９】同上に用いる３個用のピアノハンドルの分解斜視図である。
【図７０】同上に用いる３個用のピアノハンドルの背面側から見た斜視図である。
【図７１】同上に用いる３個用のピアノハンドルの断面図である。
【図７２】同上に用いる３個用のピアノハンドルの縦断面図である。
【図７３】同上に用いる３個用のピアノハンドルの斜視図である。
【図７４】同上に用いる３個用のピアノハンドルの分解斜視図である。
【図７５】同上の施工例を示す縦断面図である。
【図７６】同上の施工例を示す横断面図である。
【図７７】同上の施工に用いるプレートの正面図である。
【図７８】同上の施工に用いるプレートの一部切欠した側面図である。
【図７９】同上の施工に用いるプレートの背面図である。
【図８０】同上の施工に用いるプレートの下面図である。
【図８１】同上の施工に用いるプレート枠の正面図である。
【図８２】同上の施工に用いるプレート枠の一部切欠した側面図である。
【図８３】同上の施工に用いるプレート枠の背面図である。
【図８４】同上の施工に用いるプレート枠の一部切欠した下面図である。
【図８５】同上の施工に用いる化粧プレートの背面図である。
【図８６】同上の施工に用いる化粧プレートの一部切欠した側面図である。
【図８７】同上の施工に用いる化粧プレートの正面図である。
【図８８】同上の施工に用いる化粧プレートの一部切欠した上面図である。
【図８９】本発明の実施形態２を示すスイッチ本体の分解斜視図である。
【図９０】同上のスイッチ本体を示す斜視図である。
【図９１】同上のスイッチ本体を示す正面図である。
【図９２】同上のスイッチ本体を示す下面図である。
【図９３】同上のスイッチ本体を示す背面図である。
【図９４】同上のスイッチ本体を示す側面図である。
【図９５】同上のスイッチ本体を示す断面図である。
【図９６】同上のスイッチ本体においてカバーを外した状態の正面図である。
【図９７】同上のスイッチ本体においてボディを外した状態の背面図である。
【図９８】同上に用いる１個用のピアノハンドルの斜視図である。
【図９９】同上に用いる１個用のピアノハンドルの分解斜視図である。
【図１００】同上に用いる２個用のピアノハンドルの斜視図である。
【図１０１】同上に用いる２個用のピアノハンドルの分解斜視図である。
【図１０２】同上に用いる３個用のピアノハンドルの斜視図である。
【図１０３】同上に用いる３個用のピアノハンドルの分解斜視図である。
【図１０４】同上に用いる１個用のピアノハンドルの斜視図である。
【図１０５】同上に用いる１個用のピアノハンドルの分解斜視図である。
【図１０６】同上に用いる２個用のピアノハンドルの斜視図である。
【図１０７】同上に用いる２個用のピアノハンドルの分解斜視図である。
【図１０８】同上に用いる３個用のピアノハンドルの斜視図である。
【図１０９】同上に用いる３個用のピアノハンドルの分解斜視図である。
【図１１０】本発明の実施形態３を示すスイッチ本体の分解斜視図である。
【図１１１】同上のスイッチ本体を示す斜視図である。
【図１１２】同上のスイッチ本体を示す正面図である。
【図１１３】同上のスイッチ本体を示す下面図である。
【図１１４】同上のスイッチ本体を示す背面図である。
【図１１５】同上のスイッチ本体を示す側面図である。
【図１１６】同上のスイッチ本体を示す断面図である。
【図１１７】同上のスイッチ本体においてカバーを外した状態の正面図である。
【図１１８】同上のスイッチ本体においてボディを外した状態の背面図である。
【図１１９】同上の内部回路を示す回路図である。
【図１２０】同上の動作説明図である。
【図１２１】同上の動作説明図である。
【図１２２】同上の動作説明図である。
【図１２３】同上の動作説明図である。
【図１２４】同上で１個用のピアノハンドルを用いる使用形態での正面図である。
【図１２５】同上で１個用のピアノハンドルを用いる使用形態での左側面図である。
【図１２６】同上で１個用のピアノハンドルを用いる使用形態での右側面図である。
【図１２７】同上で１個用のピアノハンドルを用いる使用形態での背面図である。
【図１２８】同上で１個用のピアノハンドルを用いる使用形態での上面図である。
【図１２９】同上で１個用のピアノハンドルを用いる使用形態での下面図である。
【図１３０】図１２４におけるＡ−Ａ線断面図である。
【図１３１】図１２４におけるＢ−Ｂ線断面図である。
【図１３２】同上で２個用のピアノハンドルを用いる使用形態での正面図である。
【図１３３】同上で２個用のピアノハンドルを用いる使用形態での左側面図である。
【図１３４】同上で２個用のピアノハンドルを用いる使用形態での右側面図である。
【図１３５】同上で２個用のピアノハンドルを用いる使用形態での背面図である。
【図１３６】同上で２個用のピアノハンドルを用いる使用形態での上面図である。
【図１３７】同上で２個用のピアノハンドルを用いる使用形態での下面図である。
【図１３８】図１３２におけるＢ−Ｂ線断面図である。
【図１３９】同上で３個用のピアノハンドルを用いる使用形態での正面図である。
【図１４０】同上で３個用のピアノハンドルを用いる使用形態での左側面図である。
【図１４１】同上で３個用のピアノハンドルを用いる使用形態での右側面図である。
【図１４２】同上で３個用のピアノハンドルを用いる使用形態での背面図である。
【図１４３】同上で３個用のピアノハンドルを用いる使用形態での上面図である。
【図１４４】同上で３個用のピアノハンドルを用いる使用形態での下面図である。
【図１４５】図１３９におけるＡ−Ａ線断面図である。
【図１４６】図１３９におけるＢ−Ｂ線断面図である。
【図１４７】従来例を示す分解斜視図である。
【図１４８】同上の使用形態での正面図である。
【図１４９】同上の使用形態での正面図である。
【図１５０】同上の使用形態での正面図である。
【符号の説明】
４３  ピアノハンドル
１１５  化粧ライン
２５２  窓孔
２５３  ネームカバー
【図１】
0003823687.tif 000002
【図２】
0003823687.tif 000003
【図３】
0003823687.tif 000004
【図４】
0003823687.tif 000005
【図５】
0003823687.tif 000006
【図６】
0003823687.tif 000007
【図７】
0003823687.tif 000008
【図８】
0003823687.tif 000009
【図９】
0003823687.tif 000010
【図１０】
0003823687.tif 000011
【図１１】
0003823687.tif 000012
【図１２】
0003823687.tif 000013
【図１３】
0003823687.tif 000014
【図１４】
0003823687.tif 000015
【図１５】
0003823687.tif 000016
【図１６】
0003823687.tif 000017
【図１７】
0003823687.tif 000018
【図１８】
0003823687.tif 000019
【図１９】
0003823687.tif 000020
【図２０】
0003823687.tif 000021
【図２１】
0003823687.tif 000022
【図２２】
0003823687.tif 000023
【図２３】
0003823687.tif 000024
【図２４】
0003823687.tif 000025
【図２５】
0003823687.tif 000026
【図２６】
0003823687.tif 000027
【図２７】
0003823687.tif 000028
【図２８】
0003823687.tif 000029
【図２９】
0003823687.tif 000030
【図３０】
0003823687.tif 000031
【図３１】
0003823687.tif 000032
【図３２】
0003823687.tif 000033
【図３３】
0003823687.tif 000034
【図３４】
0003823687.tif 000035
【図３５】
0003823687.tif 000036
【図３６】
0003823687.tif 000037
【図３７】
0003823687.tif 000038
【図３８】
0003823687.tif 000039
【図３９】
0003823687.tif 000040
【図４０】
0003823687.tif 000041
【図４１】
0003823687.tif 000042
【図４２】
0003823687.tif 000043
【図４３】
0003823687.tif 000044
【図４４】
0003823687.tif 000045
【図４５】
0003823687.tif 000046
【図４６】
0003823687.tif 000047
【図４７】
0003823687.tif 000048
【図４８】
0003823687.tif 000049
【図４９】
0003823687.tif 000050
【図５０】
0003823687.tif 000051
【図５１】
0003823687.tif 000052
【図５２】
0003823687.tif 000053
【図５３】
0003823687.tif 000054
【図５４】
0003823687.tif 000055
【図５５】
0003823687.tif 000056
【図５６】
0003823687.tif 000057
【図５７】
0003823687.tif 000058
【図５８】
0003823687.tif 000059
【図５９】
0003823687.tif 000060
【図６０】
0003823687.tif 000061
【図６１】
0003823687.tif 000062
【図６２】
0003823687.tif 000063
【図６３】
0003823687.tif 000064
【図６４】
0003823687.tif 000065
【図６５】
0003823687.tif 000066
【図６６】
0003823687.tif 000067
【図６７】
0003823687.tif 000068
【図６８】
0003823687.tif 000069
【図６９】
0003823687.tif 000070
【図７０】
0003823687.tif 000071
【図７１】
0003823687.tif 000072
【図７２】
0003823687.tif 000073
【図７３】
0003823687.tif 000074
【図７４】
0003823687.tif 000075
【図７５】
0003823687.tif 000076
【図７６】
0003823687.tif 000077
【図７７】
0003823687.tif 000078
【図７８】
0003823687.tif 000079
【図７９】
0003823687.tif 000080
【図８０】
0003823687.tif 000081
【図８１】
0003823687.tif 000082
【図８２】
0003823687.tif 000083
【図８３】
0003823687.tif 000084
【図８４】
0003823687.tif 000085
【図８５】
0003823687.tif 000086
【図８６】
0003823687.tif 000087
【図８７】
0003823687.tif 000088
【図８８】
0003823687.tif 000089
【図８９】
0003823687.tif 000090
【図９０】
0003823687.tif 000091
【図９１】
0003823687.tif 000092
【図９２】
0003823687.tif 000093
【図９３】
0003823687.tif 000094
【図９４】
0003823687.tif 000095
【図９５】
0003823687.tif 000096
【図９６】
0003823687.tif 000097
【図９７】
0003823687.tif 000098
【図９８】
0003823687.tif 000099
【図９９】
0003823687.tif 000100
【図１００】
0003823687.tif 000101
【図１０１】
0003823687.tif 000102
【図１０２】
0003823687.tif 000103
【図１０３】
0003823687.tif 000104
【図１０４】
0003823687.tif 000105
【図１０５】
0003823687.tif 000106
【図１０６】
0003823687.tif 000107
【図１０７】
0003823687.tif 000108
【図１０８】
0003823687.tif 000109
【図１０９】
0003823687.tif 000110
【図１１０】
0003823687.tif 000111
【図１１１】
0003823687.tif 000112
【図１１２】
0003823687.tif 000113
【図１１３】
0003823687.tif 000114
【図１１４】
0003823687.tif 000115
【図１１５】
0003823687.tif 000116
【図１１６】
0003823687.tif 000117
【図１１７】
0003823687.tif 000118
【図１１８】
0003823687.tif 000119
【図１１９】
0003823687.tif 000120
【図１２０】
0003823687.tif 000121
【図１２１】
0003823687.tif 000122
【図１２２】
0003823687.tif 000123
【図１２３】
0003823687.tif 000124
【図１２４】
0003823687.tif 000125
【図１２５】
0003823687.tif 000126
【図１２６】
0003823687.tif 000127
【図１２７】
0003823687.tif 000128
【図１２８】
0003823687.tif 000129
【図１２９】
0003823687.tif 000130
【図１３０】
0003823687.tif 000131
【図１３１】
0003823687.tif 000132
【図１３２】
0003823687.tif 000133
【図１３３】
0003823687.tif 000134
【図１３４】
0003823687.tif 000135
【図１３５】
0003823687.tif 000136
【図１３６】
0003823687.tif 000137
【図１３７】
0003823687.tif 000138
【図１３８】
0003823687.tif 000139
【図１３９】
0003823687.tif 000140
【図１４０】
0003823687.tif 000141
【図１４１】
0003823687.tif 000142
【図１４２】
0003823687.tif 000143
【図１４３】
0003823687.tif 000144
【図１４４】
0003823687.tif 000145
【図１４５】
0003823687.tif 000146
【図１４６】
0003823687.tif 000147
【図１４７】
0003823687.tif 000148
【図１４８】
0003823687.tif 000149
【図１４９】
0003823687.tif 000150
【図１５０】
0003823687.tif 000151